(57)【要約】【課題】従来の光ディスク装置では、光ディスクの厚さが大きい場合等においては、印刷時に、印刷ヘッドが光ディスクのレーベル面やレーベルシートと干渉してしまい、印刷ヘッドを破損させるおそれがあるという問題があった。【解決手段】光ディスク２を回転させるディスク装着部２０と、光ディスク２に対して情報信号の記録や再生を行う光学ピックアップ２３と、を有するディスクドライブ装置９と、光ディスク２の印刷面に対してインク滴を吹き付けて印刷を行う印刷ヘッド３１を有する印刷装置１０と、を備えた光ディスク装置１に関する。印刷装置１０は、印刷ヘッド３１を印刷位置と退避位置との間に移動させるヘッド移動機構と、光ディスク２と印刷面との間の距離を検出して検出信号を出力する距離検出センサ５１，５２と、印刷面に対して印刷ヘッドを接近又は離反させるように移動させて距離を調整する距離調整部とを設ける。【選択図】図３
2009158076.tif 000002
【特許請求の範囲】
【請求項１】
ディスク状記録媒体が着脱可能に装着されると共に前記ディスク状記録媒体を回転させるディスク装着部と、前記ディスク装着部に装着された前記ディスク状記録媒体の情報記録部に対して情報信号の記録及び／又は再生を行うピックアップ装置と、を有するディスクドライブ装置と、
前記ディスク装着部に装着された前記ディスク状記録媒体の前記情報記録部と反対側の印刷面に対向され且つ前記印刷面に対してインク滴を吹き付けて印刷を行う印刷ヘッドを有する印刷装置と、を備えたディスク記録及び／又は再生装置であって、
前記印刷装置は、前記印刷ヘッドを前記ディスク装着部に装着された前記ディスク状記録媒体の前記印刷面に臨む印刷位置と前記印刷面から離れた退避位置との間に移動させるヘッド移動機構と、
前記ディスク装着部に装着された前記ディスク状記録媒体の前記印刷面と前記印刷ヘッドとの間の距離を検出してその距離に対応した検出信号を出力する距離検出部と、
前記距離検出部からの前記検出信号に基づき、前記印刷面に対して前記印刷ヘッドを接近又は離反させるように移動させて前記距離を調整する距離調整部と、を設けた
ことを特徴とするディスク記録及び／又は再生装置。
【請求項２】
前記ヘッド移動機構は、前記印刷ヘッドを保持するヘッドホルダと、
前記ヘッドホルダを移動可能に支持すると共に前記ディスク装着部に装着された前記ディスク状記録媒体の前記印刷面に沿って移動可能とされたヘッドスライダと、を有し、
前記ヘッドスライダと前記ヘッドホルダとを相対的に移動可能に連結して前記距離調整部により前記印刷面と前記印刷ヘッドとの間の距離を調整可能とした
ことを特徴とする請求項１記載のディスク記録及び／又は再生装置。
【請求項３】
前記距離検出部は、前記印刷面と前記印刷ヘッドとの間の距離を測定する第１の距離検出センサ及び第２の距離検出センサを備え、
前記第１の距離検出センサに第１の距離基準値を設定すると共に、前記第２の距離検出センサに前記第１の距離基準値と異なる第２の距離基準値を設定し、
前記距離調整部は、前記距離が前記第１の距離基準値と前記第２の距離基準値との間の値となるように前記距離を制御する
ことを特徴とする請求項１記載のディスク記録及び／又は再生装置。
【請求項４】
前記距離検出部は、前記印刷面と前記印刷ヘッドとの間の距離を測定する１つの距離検出センサを備え、
前記距離検出センサに距離基準値を設定し、
前記距離調整部は、前記距離が前記距離基準値と一致するか又は前記距離基準値を含む一定の範囲内の値となるように前記距離を制御する
ことを特徴とする請求項１記載のディスク記録及び／又は再生装置。
【請求項５】
前記距離検出センサは、前記ディスク装着部に装着された前記ディスク状記録媒体の適宜位置を一回転以上に亘って測定することにより前記距離が最も近くなる前記ディスク状記録媒体の回転角を検出し、
前記距離調整部は、前記距離検出センサによって得られた前記回転角に基づき前記距離を制御する
ことを特徴とする請求項４記載のディスク記録及び／又は再生装置。
【請求項６】
前記距離検出センサは、反射型のフォトインタラプタからなる
ことを特徴とする請求項３、４又は５記載のディスク記録及び／又は再生装置。
【請求項７】
前記距離検出部は、前記印刷ヘッドの前記インク滴が吐出されるインク吐出部に対して、前記ディスク状記録媒体の回転方向上流側に配置した
ことを特徴とする請求項３又は４記載のディスク記録及び／又は再生装置。
【請求項８】
前記距離調整部は、前記印刷ヘッドが前記印刷面に接触しない位置であって、前記インク滴を前記印刷面に到達させることができる位置に前記印刷ヘッドを維持するように前記距離を制御する
ことを特徴とする請求項１記載のディスク記録及び／又は再生装置。
【請求項９】
前記距離調整部は、前記ヘッドスライダと前記ヘッドホルダとの間を相対的に移動可能に連結する電動モータと、前記ヘッドスライダ及び前記ヘッドホルダの一方に設けられたガイドピンと、前記ヘッドスライダ及び前記ヘッドホルダの他方に設けられ且つ前記ガイドピンを摺動可能に支持するガイド孔と、を有する
ことを特徴とする請求項８記載のディスク記録及び／又は再生装置。
【請求項１０】
前記ディスクドライブ装置は、前記ピックアップ装置の対物レンズを動作させるアクチュエータに印加する電力量を調整することにより前記ディスク状記録媒体の前記情報記録部と当該情報記録部に対向される前記対物レンズとの間の距離を一定にするように制御するフォーカスサーボと、前記アクチュエータに印加される電力量を検出し、検出された電力量が予め設定された所定範囲内の値でないときに前記印刷ヘッドを前記印刷面に近づけないようにする印刷可否判断部と、を有する
ことを特徴とする請求項１記載のディスク記録及び／又は再生装置。
【請求項１１】
回転するディスク状記録媒体の情報記録部からピックアップ装置で情報を読み出すことによって前記情報記録部と反対側の前記ディスク状記録媒体の印刷面を確認し、前記印刷面に印刷ヘッドを臨ませると共に、前記印刷面と前記印刷ヘッドとの間の距離を距離検出部で検出し、
前記印刷ヘッドが前記印刷面に接触しない位置であって、前記インク滴を前記印刷面に到達させることができる位置に前記印刷ヘッドを維持して、前記印刷ヘッドで前記印刷面に印刷を行うようにした
ことを特徴とするディスク状記録媒体の印刷方法。
【発明の詳細な説明】
【技術分野】
【０００１】
本発明は、ＣＤ（Compact Disc  登録商標）、ＤＶＤ（Digital Versatile Disc  登録商標）、Blu-Ray Disc（登録商標）、ＨＤ−ＤＶＤ（High Definition-DVD  登録商標）等の光ディスク、或いは、光磁気ディスク、磁気ディスクその他のディスク状記録媒体を記録メディアとして用いて、光やニア・フィールド光（光の波長よりも伝播距離が短い近接場光）或いは光と磁気若しくは磁気のみ等の記録・再生方法を使用して情報を記録（書込み）したり、再生（読出し）することが可能なディスク記録及び／又は再生装置に関し、特に、そのディスク記録及び／又は再生装置に用いるディスク状記録媒体に記録されている情報やその情報に関連する事項等を文字や記号、写真、絵、模様等をディスク状記録媒体のレーベル面に印刷して表示することができるディスク記録及び／又は再生装置、及び、その文字等をディスク状記録媒体のレーベル面に印刷する印刷方法に関する。
【背景技術】
【０００２】
ディスク状記録媒体を用いて情報を記録したり再生したりするディスク記録及び／又は再生装置の代表的な例として、光ディスクを記録媒体として用いる光ディスク装置が一般的に知られている。この光ディスク装置は、ＣＤやＤＶＤ等の数メガバイト、数ギガバイトの記録容量を持った光ディスクを記録媒体として用いて、データを書き込んだり、読み出したりする装置として知られており、一般にも広く使われている。この光ディスク装置は、光ディスクの取扱い方法によってトレイ方式とスロットイン方式とに分けることができる。
【０００３】
トレイ方式の光ディスク装置は、装置筐体に対して出し入れ可能に構成されたトレイを有しており、このトレイに載置されて光ディスクが、装置筐体内の記録再生動作が実行されるディスク装着位置と、装置筐体外のディスク取出位置とに搬送されるようになっている。これに対し、スロットイン方式の光ディスク装置は、装置筐体にディスク出入口を設けると共に、そのディスク出入口の内側に、光ディスクを挟んで搬送するディスク搬送機構が設けられている。このスロットイン方式の光ディスク装置では、ディスク出入口に光ディスクを挿入すると、ディスク搬送機構がその光ディスクを挟んでディスク装着位置まで搬送する。また、イジェクト釦を操作してディスク排出動作を選択すると、ディスク搬送機構が、光ディスクを保持してディスク装着位置からディスク取出位置まで搬送するようになっている。
【０００４】
このような光ディスク装置に対しては、記録容量の増大や高密度記録等の要望が強く、その結果、近年では、高密度記録を可能としたＢＤやＨＤ−ＤＶＤ等が提供されるようになった。これらBlu-Ray Disc及びＨＤ−ＤＶＤは、基本的な構成は従来の光ディスク装置（ＤＶＤ等）と同様であるが、光源を短波長化することや、レンズの開口数（ＮＡ：Numerical Aperture）を大きくすることにより、ＤＶＤ等に比べて記録容量が５倍から１０倍以上に増加している。これら高密度に記録できる光ディスク装置が増えると、記録される情報量が飛躍的に増大し、また、記録された光ディスクの数が増えると、その光ディスクを管理することが容易でなくなる。
【０００５】
光ディスクの情報管理の基本は、その光ディスクには「何が」記録されているかを明らかにすることである、と考えられる。そのための方法として、記録されている情報の内容を、例えば、光ディスクの情報記録面に情報信号として書き込んだり、その情報記録面と反対側のレーベル面に手書きで書き込むこと等が提案されている。
【０００６】
従来の、この種の光ディスク装置としては、例えば、特許文献１に開示されているようなものがある。特許文献１には、ディスクのレーベル印刷装置及びこれを備えた光ディスクの情報記録装置に関するものが記載されている。この特許文献１に記載されたディスクのレーベル印刷装置（第１の従来例という。）は、ディスクを所定の回転数にて回転させるディスク回転手段と、該ディスク回転手段によって回転されるディスクのレーベル印刷面に対向して配置されたインクジェット装置と、印刷対象となる文字或いは絵画等の印刷データを入力するデータ入力手段と、該データ入力手段により入力された印刷データを前記ディスクの周方向に対応したインクジェット制御データに変換するデータ変換手段と、前記インクジェット制御データに基づいて前記インクジェット装置の駆動を制御するインクジェット駆動制御手段とを備えている。
【０００７】
従来の、この種の光ディスク装置の第２の例としては、例えば、特許文献２に記載されているようなものもある。特許文献２には、光ディスクに直接印字できる情報記憶装置に関するものが記載されている。この特許文献２に記載された情報記憶装置（第２の従来例という。）は、記憶メディアへの情報の記録あるいは再生を行う情報記憶装置であって、装置本体内に設けたラベル印刷手段により前記記憶メディアに印字をするようになっている。
【０００８】
更に、光ディスク装置ではないが、この種の従来の印刷装置の例としては、例えば、特許文献３に記載されているようなものもある。特許文献３には、ヘッドの液体吐出面と、液体吐出対象物の液体が着弾する面との間の距離に応じて液体の吐出偏向量を決定し、決定した吐出偏向量で液体が偏向吐出されるようにした液体吐出装置及び液体吐出方法に関するものが記載されている。この特許文献３に記載された液体吐出装置（第３の従来例という。）は、ノズルを有する液体吐出部を複数並設したヘッドと、各前記液体吐出部の前記ノズルから吐出される液体の吐出方向を前記液体吐出部の並び方向に偏向させる吐出方向偏向手段と、を備える液体吐出装置である。この液体吐出装置は、ヘッドの液体吐出面と、液体吐出対象物の液体が着弾する面との間の距離を検知する距離検知手段と、前記距離検知手段による検知結果に基づいて、前記吐出方向偏向手段による液体の吐出偏向量を決定する吐出偏向量決定手段とを備えている。
【特許文献１】特開平５−２３８００５号公報
【特許文献２】特開２００２−４６３０５号公報
【特許文献３】特開２００４−１８８９５６号公報
【０００９】
しかしながら、前述した第１の従来例の場合には、光ディスク装置に印刷ヘッドが搭載されており、その印刷ヘッドにより、回転する光ディスクのレーベル面に印刷を行う装置であったが、印刷ヘッドとレーベル面との距離を制御するための機構が存在せず、その距離を制御して印刷を行うという思想がなかった。そのため、例えば、光ディスクの厚さが規格よりも大きな想定外の厚さを有する場合、或いは、レーベルシートを貼り付けたために光ディスクの厚さが大きくなってしまったような場合には、情報信号の読み書きは正常に行われるが、レーベル面の印刷に際して、印刷ヘッドが光ディスクのレーベル面やレーベルシートと干渉してしまい、印刷ヘッドを破損させるおそれがあるという問題点があった。
【００１０】
特に、インクジェット方式の印刷ヘッドを有する印刷装置を搭載している場合には、印刷ヘッドと印刷面との距離が大きく離れると、印刷面に到達しなかったインク滴（ミスト）が空中に浮遊する。その結果、浮遊したインク滴（ミスト）が光ピックアップのレンズに付着して情報の読み書きを行うレンズを汚し、読み書きの不良を生じ易くしたり、インク滴（ミスト）が電気回路等に付着して汚し、不安定な動作や動作不良を生じたり、ショートしたりする等の問題点があった。
【００１１】
さらに、印刷ヘッドと印刷面との距離が大きく離れると、インク滴が飛翔している間に空気抵抗によりインク滴は飛翔速度を失うので、印刷面に到達するインク滴が複数に分かれている場合は、光ディスクの回転数が速く印刷対象物と印刷ヘッドの相対速度が速い状態で印刷を行っている時に、印刷面に到達する複数のインク滴の着弾位置にずれが生じ、印刷画像がボケるなどの画質劣化が生じる等の問題点もあった。
【００１２】
また、第２の従来例の場合には、印字ヘッドのためのホームポジションセンサが搭載されているが、印刷対象物と印刷ヘッドとの間の距離を測定するためのセンサは存在していない。即ち、ホームポジションセンサは、印字ヘッドの突出部分を検出することによって印字ヘッドが光ディスクの内周又は外周に位置したか否かを検出するものであり、印刷対象物と印刷ヘッドとの間の距離は考慮されていなかった。更に、第２の従来例の場合には、印字部分の面ぶれの変動による印字位置のずれを補正するために、対向する光ピックアップのフォーカシング方向の動きを検出して、印刷タイミング等を補正する方法が開示されている（特許文献２の段落［０２０４］など）。ところが、光ディスク装置の光学ピックアップで検出できるのは、記録面の相対的な距離変化であり、即ちレーベル面の相対的な距離の変化だけである。
【００１３】
一方、例えば、ＣＤ規格で厚さの規格値は１．２ｍｍ＋０．３ｍｍ−０．１ｍｍであるが、実際には厚さ０．９ｍｍや１．５ｍｍのＣＤディスクやＤＶＤディスクが発売されているのが現状である。そのため、印刷しようとする光ディスクが、規格以上の厚さを有する光ディスクであったり、レーベルシートを貼り付けた光ディスクの厚さが所定以上に厚すぎる場合には、印刷時において、レーベルシートに印刷ヘッドが当接して破損するおそれがあった。また、光学ピックアップで記録面の相対的な距離変化を検出できたとしても、印刷ヘッドとレーベル面の絶対的な距離を検出できないので、光ディスクの状態に応じた制御はすることができない。
【００１４】
また、第３の従来例の場合には、印刷対象物と印刷ヘッドとの間の距離を測定するためにセンサが設置されているが、その印刷対象物は印画紙であって、本願発明のディスク状記録媒体とはまったく異なるものである。そのため、印刷対象物がディスク状記録媒体であることによって生じる印刷面の「面ぶれ」という特有の問題点に関しては、第３の従来例の場合には、まったく考慮されていなかった。
【発明の開示】
【発明が解決しようとする課題】
【００１５】
解決しようとする問題点は、従来の光ディスク装置では、印刷ヘッドと印刷面との距離を測定し、その測定結果に基づき印刷ヘッドの位置を制御して、回転するディスク状記録媒体の印刷面に印刷を行うという思想がなかった。そのため、光ディスクの厚さが規格よりも大きな想定外の厚さを有する場合や、レーベルシートを貼り付けたために光ディスクの厚さが大きくなってしまった場合等においては、印刷時に、印刷ヘッドが光ディスクのレーベル面やレーベルシートと干渉してしまい、印刷ヘッドを破損させるおそれがあるという問題点があった。
【課題を解決するための手段】
【００１６】
本発明のディスク記録及び／又は再生装置は、ディスク状記録媒体が着脱可能に装着されると共にそのディスク状記録媒体を回転させるディスク装着部と、そのディスク装着部に装着されたディスク状記録媒体の情報記録部に対して情報信号の記録及び／又は再生を行うピックアップ装置と、を有するディスクドライブ装置と、ディスク装着部に装着されたディスク状記録媒体の情報記録部と反対側の印刷面に対向され且つその印刷面に対してインク滴を吹き付けて印刷を行う印刷ヘッドを有する印刷装置と、を備えたディスク記録及び／又は再生装置であって、印刷装置は、印刷ヘッドをディスク装着部に装着されたディスク状記録媒体の印刷面に臨む印刷位置とその印刷面から離れた退避位置との間に移動させるヘッド移動機構と、ディスク装着部に装着されたディスク状記録媒体の印刷面と印刷ヘッドとの間の距離を検出してその距離に対応した検出信号を出力する距離検出部と、その距離検出部からの検出信号に基づき、印刷面に対して印刷ヘッドを接近又は離反させるように移動させて距離を調整する距離調整部と、を設けたことを最も主要な特徴とする。
【００１７】
また、本発明のディスク状記録媒体の印刷方法は、回転するディスク状記録媒体の情報記録部からピックアップ装置で情報を読み出すことによって情報記録部と反対側のディスク状記録媒体の印刷面を確認し、その印刷面に印刷ヘッドを臨ませると共に、その印刷面と印刷ヘッドとの間の距離を距離検出部で検出し、印刷ヘッドが印刷面に接触しない位置であって、印刷画像のボケ等の画質劣化のより少ない位置、及び／又は、より多くのインク滴を印刷面に到達させることができる位置に印刷ヘッドを維持して、印刷ヘッドで印刷面に印刷を行うようにしたことを特徴とする。
【発明の効果】
【００１８】
本発明のディスク記録及び／又は再生装置及びディスク状記録媒体の印刷方法によれば、印刷対象物であるディスク状記録媒体の印刷面と印刷ヘッドとの間の距離を測定し、その距離を最適な値又は所定の範囲内の値にするように印刷ヘッドの位置を制御し、その制御状態の印刷ヘッドで印刷面への印刷を実行することにより、印刷ヘッドが印刷面に当接するのを防止すると共に、インク滴のミストが発生するのを抑制し、印刷面にきれいな印刷を行うことができる。
【発明を実施するための最良の形態】
【００１９】
ディスク状記録媒体を回転させるディスク装着部と、情報信号の記録及び／又は再生を行うピックアップ装置とを有するディスクドライブ装置と、印刷ヘッドを有する印刷装置と、を備えたディスク記録及び／又は再生装置であって、印刷装置は、印刷ヘッドを印刷位置と退避位置との間に移動させるヘッド移動機構と、印刷ヘッドと印刷面との間の距離を検出する距離検出部と、印刷ヘッドを移動させて距離を調整する距離調整部と、を設ける。そして、距離調整部で距離を制御することにより、印刷ヘッドを印刷面に接触しない位置であって、インク滴を印刷面に到達させることができる位置に移動させ、その状態を維持して印刷ヘッドで印刷面に印刷を行うことにより、印刷ヘッドが印刷面に当接することがなく、印刷面にきれいな印刷を行うことができるディスク記録及び／又は再生装置及びディスク状記録媒体の印刷方法を、簡単な構成によって実現した。
【００２０】
図１〜図３１は、本発明の実施の形態の例を説明するものである。以下に、添付した図面を参照して、本発明の実施の形態の例を説明する。
【実施例１】
【００２１】
図１乃至図７は、本発明のディスク記録及び／又は再生装置の第１の実施の形態を示す光ディスク装置１である。この光ディスク装置１は、印刷対象物であるディスク状記録媒体の一具体例を示す光ディスク、例えば、ＣＤ−Ｒ（Recordable）、ＤＶＤ−ＲＷ（Rewritable）、Blu-Ray Disc、ＨＤ−ＤＶＤ等の光ディスク２の情報記録面（情報記録部）に対して、新たに情報信号を記録（書込み）したり、予め記録されている情報信号を再生（読出し）したりすることが可能であると共に、印刷面の一具体例を示す光ディスク２のレーベル面に、文字、記号、写真、絵、模様等の可視情報を印刷できるようにしたトレイ方式の印刷機能付き記録再生装置である。
【００２２】
しかしながら、本発明のディスク記録及び／又は再生装置としては、情報の記録と再生の両方が可能な光ディスク装置に限定されるものではなく、情報信号の記録のみが可能なディスク記録装置や、情報信号の再生のみが可能なディスク再生装置に適用できることは勿論である。また、ディスク状記録媒体としては、レーザ光を用いて情報信号の記録や再生を行う光ディスクに限定されるものではなく、ニア・フィールド光を用いる光ディスク、光と磁気を用いる光磁気ディスク、磁気のみを用いる磁気ディスク等のように、外形がディスク状を形成している各種のディスク状記録媒体を記録メディアとして用いることができるものである。
【００２３】
図１は光ディスク装置１の外観斜視図、図２は筐体３の上面板５を取り除いた光ディスク装置１の斜視図、図３は同じく上面板５を取り除いた光ディスク装置１の平面図である。図１〜図３に示すように、光ディスク装置１は、中空の容器からなる筐体３と、この筐体３内に収納された装置本体８と、図示しないリモートコントローラ等の入力装置等を備えて構成されている。この光ディスク装置１には、図示しない画像表示装置や音声出力装置等の外部装置が電気的に接続可能とされており、光ディスク２の情報記録部から読み出した情報を画像や音声等で表示できるようになっている。画像表示装置としては、例えば、液晶ディスプレイ装置、有機ＥＬディスプレイ装置、プラズマディスプレイ装置等をあげることができる。また、音声出力装置としては、例えば、スピーカ装置等をあげることができる。
【００２４】
光ディスク装置１の筐体３は、長方形をなすベース板４と、このベース板４の上面を覆う上面板５と、前面を覆う前面板６と、背面を覆う背面板７を備えており、全体として中空の容器が構成されている。筐体３のベース板４の幅方向の両側には、それぞれ側面部４ａ，４ａが設けられている。各側面部４ａは、ベース板４の長手方向に所定の高さで延在されている。上面板５は、長方形をなす上面部５ａと、この上面部５ａの幅方向の両側に連続して形成されていて側面を覆う左右の側面部５ｂ，５ｂを有している。この上面板５は、ベース板４の上部に装着され、両側面部５ｂ，５ｂを図示しない固定ネジで各側面部４ａ，４ａに固定することによって取り付けられている。この上面板５とベース板４とで構成される筒状の前側開口部が前面板６によって閉じられ、後側開口部が背面板７によって閉じられている。そして、前面板６と背面板７は、図示しない固定ネジによってベース板４と上面板５にネジ止めされている。
【００２５】
前面板６の高さ方向の略中央部には、横方向に延在されたディスク出入口１１が設けられている。ディスク出入口１１には、ディスクトレイ１２が出し入れ可能に装着されている。ディスクトレイ１２は、ディスク収納部１３に載置された光ディスク２を、筐体３外のディスク取出位置と、光ディスク２に対して情報信号の記録（書込み）及び再生（読出し）が実行される筐体３内のディスク装着位置とに選択的に搬送するものである。このディスクトレイ１２は、光ディスク２よりもやや大きな平面長方形をなす板状部材からなるトレイ本体１４と、このトレイ本体１４の長手方向の一端に固定された遮蔽板１５とからなっている。トレイ本体１４の一方の平面である上面に、光ディスク２を収納するための円形の凹部からなるディスク収納部１３が設けられている。
【００２６】
また、トレイ本体１４には、後述するディスク装着部との接触を避けるための切欠き部１６が設けられている。この切欠き部１６は、ディスクトレイ１２の一方の短辺からディスク収納部１３の中央部に至るまで大きく切り欠かれて形成されている。トレイ本体１４の切欠き部１６と反対側の短辺に、遮蔽板１５が一体的に設けられている。遮蔽板１５は、ディスクトレイ１２がディスク装着位置へ移動したときに、ディスク出入口１１を閉じる蓋の機能を果たすものである。この遮蔽板１５は、ディスク出入口１１の形状に見合う横長の長方形とされており、ディスク出入口１１に着脱可能に嵌合される。
【００２７】
光ディスク装置１の装置本体８は、ディスクドライブ装置９と印刷装置１０と制御装置８０（図１４を参照）等を備えて構成されている。ディスクドライブ装置９は、提供される光ディスク２の情報記録部に対して情報信号を書き込んで新たに情報を記録したり、情報記録部に予め記録されている情報を読み出して再生したりするものである。また、印刷装置１０は、提供される光ディスク２のレーベル面やそのレーベル面に貼り付けられているレーベルシート等に、情報記録部に予め記録されている情報や新たに記録された情報等に関連する事項を文字や数字、写真、絵や模様等の可視情報として印刷して表示するものである。そして、制御装置８０は、これらディスクドライブ装置９及び印刷装置１０、並びに必要によってその他の装置を駆動制御して、ディスクドライブ装置９に所定の記録再生動作及びその他の動作を実行させたり、印刷装置１０に所定の印刷動作及びその他の動作を実行させるものである。
【００２８】
図４は、図２に示す光ディスク装置１から印刷装置１０を取り除いた状態を示す斜視図である。この実施例では、筐体３内の下方にディスクドライブ装置９が配置され、筐体３内の上方に印刷装置１０が配置されている。この配置を実現するため、筐体３の内部には、その空間部を上下方向に仕切るシャーシプレート１７が配置されている。図５は、シャーシプレート１７に印刷装置１０を搭載した状態を示す斜視図である。シャーシプレート１７は、ベース板４よりやや小さい長方形の板体からなり、その内部には所定の幅で長手方向に延在された長方形の開口穴１８が表裏面を貫通するように設けられている。このシャーシプレート１７の一方の面である上面に印刷装置１０が搭載され、他方の面である下面との間に所定の隙間をあけてディスクドライブ装置９が配置されている。
【００２９】
ディスクドライブ装置９は、この種の光ディスク装置において一般的に用いられているものと同様の構成であるため、ここでは構成等を簡単に説明する。ディスクドライブ装置９は、光ディスク２が着脱可能に装着されるディスク装着部２０（図３を参照）を有するディスク回転機構と、ディスク装着部２０を昇降動作させて光ディスク２のチャッキング及びその解除動作を行う装着部昇降機構と、光ディスク２に対する情報信号の記録及び再生を行うピックアップ装置の一具体例を示す光学ピックアップ２３と、その光学ピックアップ２３を光ディスク２の半径方向へ移動させるピックアップ移動機構と、これらの機構等を駆動制御するドライブ制御回路等を備えて構成されている。
【００３０】
ディスク回転機構は，例えば、ステッピングモータが用いられるスピンドルモータと、このスピンドルモータの回転軸に固定されるターンテーブルとから構成されている。このターンテーブルにより、光ディスク２が着脱可能に装着されるディスク装着部２０が構成されている。ターンテーブルが取り付けられたステッピングモータは、ディスクトレイ１２がディスク装着位置に搬送されたときに、ディスク収納部１３の略中央部に位置するように配置されている。ターンテーブルは、光ディスク２の中心穴に着脱可能に嵌合されるディスク嵌合部と、その中心穴の周囲を支持するディスク載置部とを有している。
【００３１】
装着部昇降機構は、ディスク装着位置においてディスク回転機構を昇降動作させることにより、ターンテーブルに光ディスク２を装着したり、その装着を解除するものである。この装着部昇降機構は、例えば、スピンドルモータが搭載されると共に筐体３のベース板４に揺動可能に支持されるモータベースと、このモータベースを揺動させるカム機構と、このカム機構を動作させてスピンドルモータを昇降させる電動モータ等によって構成される。スピンドルモータの上方には、チャッキングプレート２７が配置されている。このチャッキングプレート２７は、スピンドルモータの昇降動作によって持ち上げられた光ディスク２を、ターンテーブルに内蔵された磁石で吸着されて上から押えるものである。このチャッキングプレートとターンテーブルとで光ディスク２を挟持することにより、光ディスク２がターンテーブルから抜け出すことを防止している。
【００３２】
チャッキングプレート２７は、ベース板４の側面部４ａの上端縁に固定されたプレート支持板２８によって回転自在に支持されている。プレート支持板２８は、長方形の板状部材からなり、その長手方向の一側にチャッキングプレート２７が回転自在に支持されている。プレート支持板２８は、その長手方向の他側をベース板４の側面部４ａの上端縁に固定することによって片持ち状に取り付けられている。プレート支持板２８は、補助板２９によって支えられ、撓み難いように支持されている。このプレート支持板２８によって支持されたチャッキングプレート２７の位置が、光ディスク２に対して光学ピックアップ２３による情報信号の記録（書込み）及び再生（読出し）が行われるディスク装着位置となっている。
【００３３】
このディスク装着位置と筐体３外のディスク取出位置との間にディスクトレイ１２が、トレイ搬送機構によって搬送可能とされている。トレイ搬送機構は、この種の光ディスク装置において一般的に用いられているものと同様の構成であるため、ここでは構成等を簡単に説明する。トレイ搬送機構は、例えば、ディスクトレイ１２に設けたラック部と、このラック部に噛合されるピニオンと、このピニオンを回転駆動する電動モータ等によって構成される。電動モータを駆動してピニオンを回転させることにより、その回転力がラック部に伝達される。これにより、電動モータの回転方向に応じてディスクトレイ１２が、ディスク装着位置からディスク取出位置に搬送され、又は、ディスク取出位置からディスク装着位置に搬送される。
【００３４】
このトレイ搬送機構の動作時、ディスクドライブ装置９の光学ピックアップ２３、特に、光ディスク２の情報記録部に臨むことになるピックアップレンズ及びその近傍部分は、ディスクトレイ１２の切欠き部１６内に入り込む。そして、ディスクトレイ１２のディスク収納部１３に載置されている光ディスク２がターンテーブルに装着されて所定量を持ち上げられると、その光ディスク２の下側に光学ピックアップ２３が入り込む。これにより、光学ピックアップ２３による光ディスク２の情報記録部に対する情報信号の書き込み及び読み出しが可能となる。なお、図４に示す符号３０は、トレイ搬送機構を排出動作させるためのイジェクト釦である。
【００３５】
かくして、ディスクトレイ１２がディスク装着位置に搬送された際に、装着部昇降機構によってモータベースを上昇させることにより、スピンドルモータが上方に移動される。このとき、ターンテーブルのディスク嵌合部が光ディスク２の中心穴に嵌合され、光ディスク２がディスク収納部１３から所定距離だけ持ち上げられる。そして、ターンテーブルに内蔵されている磁石によりチャッキングプレートが吸引され、そのチャッキングプレートとターンテーブルとで光ディスク２が挟持される。また、装着部昇降機構を逆方向へ動作させてモータベースを下降させることにより、ターンテーブルのディスク嵌合部が光ディスク２の中心穴から下方へ抜け出す。これにより、光ディスク２がターンテーブルから抜け出してディスク収納部１３に載置される。
【００３６】
光学ピックアップ２３は、例えば、光検出器と、ピックアップレンズである対物レンズと、この対物レンズを光ディスク２の情報記録部に臨ませるアクチュエータの一具体例を示す二軸アクチュエータ等を有している。光学ピックアップ２３の光検出器は、光ビームを出射する光源となる半導体レーザと、戻りの光ビームを受光する受光素子等から構成されている。この光学ピックアップ２３は、半導体レーザから光ビームを出射し、その光ビームを対物レンズにより集光して光ディスク２の情報記録部に照射すると共に、その情報記録部で反射された戻りの光ビームを光検出器で受光する。これにより、光学ピックアップ２３は、情報記録部に情報信号を記録（書込み）したり、予め情報記録部に記録されている情報信号を再生（読取り）したりすることができる。
【００３７】
二軸アクチュエータは、対物レンズをフォーカス方向（上下方向、即ちディスクの主面と垂直をなす方向）及びトラッキング方向（横方向、即ちディスクの主面と平行する方向）に動かすことができるアクチュエータであり、駆動力としては専ら電磁力が用いられる。この二軸アクチュエータは、主に可動部の支持方法によって、板バネ方式、軸摺動方式、ワイヤ支持方式、ヒンジ方式に区別される。板バネ方式は、支持機構に板バネを使用し、対物レンズと駆動コイルの付いた可動部が上下方向及び横方向に独立に動くようになっている。そして、板バネの弾性によって機械的中立点を形成している。
【００３８】
軸摺動方式は、固定部に付けられた軸と可動部が摺動することにより、上下方向に自由度を持たせ、また、可動部が軸を中心に回転することにより、軸に対して偏芯した位置にある対物レンズが横に動くようになっている。尚、機械的な中立点は、別にゴム等の弾性体を付加することによって実現している。ワイヤ支持方式は、板バネ方式の板バネの換わりに弾性を持ったワイヤ４本を使用し、４本のワイヤでリンク機構を形成して可動部を支持している。また、ヒンジ方式は、弾性を持った樹脂によってヒンジのリンク機構と回転部分を形成し、上下方向はリンク機構により、横方向は回転部によって自由度を持たせている。そして、機械的中立点は、樹脂の弾性力によって実現している。
【００３９】
なお、光学ピックアップ２３としては、上記実施例の他にも、いわば半導体光ピックアップであるレーザカプラを用いることもできる。このレーザカプラは、対物レンズ以外の要素を一体化し、光ピックアップを超小型化したものである。
【００４０】
このような構成を有する光学ピックアップ２３には、正確な位置決めや、速度制御、力制御等を行うためにサーボ機構が設けられている。このサーボ機構には、大別して、フォーカスサーボとトラッキングサーボと送りサーボとスピンドルサーボの４つのサーボが用いられる。フォーカスサーボは、ディスクの面振れに対物レンズを追従させ、対物レンズの焦点位置を常に合焦位置に保つように制御するものである。このフォーカスサーボによるフォーカスサーボ誤差信号検出法としては、例えば、非点収差法やフーコー法等を上げることができる。また、トラッキングサーボは、ディスクの偏心に対物レンズを追従させ、いつも目的のトラックの上をトレースするように制御するものである。このトラッキングサーボによるトラッキングサーボ誤差信号検出法としては、例えば、３スポット法やプッシュプル法等を上げることができる。
【００４１】
送りサーボは、トラッキングアクチュエータが可動範囲の中心からずれたとき、トラッキングサーボ出力に発生する誤差電圧の直流分を取り出して、これが０になるように光学ピックアップの全体を移動させる制御をするものである。また、スピンドルサーボは、別名ＣＬＶ（線速度一定）サーボとも呼ばれ、回転速度が一定となるようにスピンドルモータの回転速度を制御するものである。
【００４２】
このような機能を有する光学ピックアップ２３がスライド部材２６に搭載され、そのスライド部材２６と一体に移動可能とされている。スライド部材２６には、２本のガイド軸が互いに平行とされて摺動可能に挿通されている。２本のガイド軸は、光ディスク２の情報記録部の前面をなす主面と略平行に配置され、ディスクトレイ１２の移動方向に延在されている。この２本のガイド軸に摺動可能に保持されたスライド部材２６が、ピックアップ移動機構によって光ディスク２の半径方向へ移動可能とされている。
【００４３】
ピックアップ移動機構としては、例えば、送りネジと送りナットの組み合わせからなる送りネジ機構を適用することができる。しかしながら、ピックアップ移動機構は送りネジ機構に限定されるものではなく、例えば、ラック・ピニオン機構、ベルト送り機構、ワイヤ送り機構その他の機構を適用することもできる。このピックアップ移動機構によって移動されるスライド部材２６の移動時に、光ディスク２の情報記録部に対する光学ピックアップ２３による情報信号の記録及び再生作業が実行される。
【００４４】
光ディスク装置１の印刷装置１０は、図２及び図３に示すように、インクタンクが収納された印刷ヘッド３１と、この印刷ヘッド３１を光ディスク２の印刷面に沿って移動させるヘッド移動機構３２と、印刷ヘッド３１と印刷面との間の距離を検出する距離検出部３３と、この距離検出部３３の検出素子等をクリーニングするクリーニング機構３４と、これら印刷ヘッド３１とヘッド移動機構３２と距離検出部３３とクリーニング機構３４等の動作を制御する印刷等制御回路等を備えて構成されている。
【００４５】
印刷ヘッド３１は、例えば、図１２Ａ，図１２Ｂに示すような構成を有している。図１２Ａは、レーベル印刷に用いられるインクジェット方式の印刷ヘッド３１Ａで、インクタンク部とインク吐出部が一体に構成されている方式のものである。また、図１２Ｂは、同じくレーベル印刷に用いられるインクジェット方式の印刷ヘッド３１Ｂで、インクタンク部に対してインク吐出部が分離可能に構成されている方式のものである。
【００４６】
図１２Ａに示す印刷ヘッド３１Ａは、１個の中空のヘッド筐体３６を備えており、そのヘッド筐体３６の内部に、１色（例えば、ブラック）又は２以上の色（例えば、マゼンタ、シアン、イエローの３色等）の収納部を有するインクタンクと、各色をノズルから個別に吐出させるインク吐出機構（図示しない）が収納されている。ヘッド筐体３６は、直方体の一面の長手方向の略半分に、直方体の膨出部３６ａを設けることによって構成されている。この膨出部３６ａの略中央部に、インクを吐出するためのインク吐出部３７が設けられている。インク吐出部３７には、多数の微細な直径の孔（直径が数μ〜数十μの数百個の孔）からなるノズルが設けられており、それらのノズルは、使用される色の数と同数の列として配列されている。例えば、マゼンタ、シアン、イエローの３色を用いる印刷ヘッドの場合には、３列のノズルが設けられている。
【００４７】
図１２Ｂに示す印刷ヘッド３１Ｂは、１個の中空のヘッド筐体３８と、そのヘッド筐体３８に着脱可能に固着されるヘッド分割体３９とから構成されている。ヘッド筐体３８には、１色又は２以上の色の収納部を有するインクタンクが設けられている。更に、ヘッド筐体３８には、直方体の一面の長手方向の一側に、ヘッド分割体３９を嵌合保持するための嵌合凸部３８ａが設けられている。ヘッド分割体３９は、ヘッド筐体３８の一面の長手方向の略半分の大きさを有する中空の直方体をなす部材からなる。このヘッド分割体３９の内部に、ヘッド筐体３８内のインクを吐出させるインク吐出機構が収納されている。このヘッド分割体３９の一面である表面にインク吐出部３７が設けられ、その反対側の他面である裏面に、嵌合凸部３８ａを嵌合保持するための嵌合凹部が設けられている。インク吐出部３７の構成は、印刷ヘッド３１Ａと同様である。
【００４８】
このような構成を有する印刷ヘッド３１（３１Ａ，３１Ｂ）が、ヘッド移動機構３２によって光ディスク２の印刷面に沿って移動可能に構成されている。ヘッド移動機構３２は、印刷ヘッド３１を保持するヘッドホルダ４１と、このヘッドホルダ４１を移動可能に支持するヘッドスライダ４２と、このヘッドスライダ４２を移動可能に支持する２本のヘッドガイド軸４３Ａ，４３Ｂと、この２本のヘッドガイド軸４３Ａ，４３Ｂを固定して支持する２個のガイド軸受４４Ａ，４４Ｂと、印刷ヘッド３１を移動させる送りネジ軸４５及び送りナット４６と、送りネジ軸４５を回転駆動するヘッド送りモータ４７等を備えて構成されている。
【００４９】
ヘッドホルダ４１は、印刷ヘッド３１が嵌合される四角形の枠状をなす部材として構成されている。図９は、ヘッドホルダ４１に印刷ヘッド３１を嵌合して印刷ヘッド組立体５０を構成すると共に、その印刷ヘッド組立体５０を印刷ヘッド３１のインク吐出部３７側から斜めに見た説明図である。印刷ヘッド３１の組立時、インク吐出部３７は、ヘッドホルダ４１を貫通してその下面４１ａから下方へ突出される。このヘッドホルダ４１の下面４１ａには、コ字状に形成されて下方へ突出された門形をなす取付ブラケット４８が設けられている。
【００５０】
この取付ブラケット４８の下面の略中央部に、距離検出部の一具体例を示す第１の距離検出センサ５１と第２の距離検出センサ５２の２つの距離検出センサ５１，５２が横並びに配置されて固定されている。第１及び第２の距離検出センサ５１，５２は、印刷ヘッド３１のインク吐出部３７の表面と、ディスク装着部２０に装着されて回転される光ディスク２の印刷面との間の距離を検出するものである。第１及び第２の距離検出センサ５１，５２としては、インク吐出部３７と光ディスク２の印刷面との間の距離Ｓを検出することができるものであればどのようなものでもよいが、例えば、反射型フォトインタラプタが好適である。
【００５１】
フォトインタラプタは、発光ダイオード（ＬＥＤ）とフォトダイオードがセットになった光センサであり、主に赤外線が使用されている。フォトインタラプタには、反射型と透過型があり、本発明には反射型を用いることができる。反射型フォトインタラプタは、ＬＥＤから光を出し、反射光等をフォトダイオードで検出して対象物の光の反射率を調べることにより、対象物との間の距離を精度よく検出することができる。この反射型フォトインタラプタの具体例としては、例えば、コーデンシ株式会社の反射型フォトインタラプタＳＧ−１０５を上げることができる。
【００５２】
反射型フォトインタラプタＳＧ−１０５は、発光素子と受光素子が同一面に配置されており、検出物体の反射光によって物体までの距離を検出することができる。この反射型フォトインタラプタＳＧ−１０５は、図１８Ａに示すような特性を有している。図１８Ａは、反射型フォトインタラプタＳＧ−１０５の距離検出出力を表したものであり、横軸に検出距離［ｍｍ］をとり、縦軸に相対光電流［％］をとっている。この反射型フォトインタラプタＳＧ−１０５の距離検出出力は、検出距離が０．０ｍｍの場合には相対光電流も０％であるが、検出距離が出始めると、相対光電流が急激に増大して約９０％になるまで略比例的に増加している。相対光電流が約９０％のとき、その検出距離は約０．５ｍｍであった。
【００５３】
その後、検出距離が約０．５ｍｍを越えると、相対光電流の変化率が減少して曲線状に変化し、検出距離が約０．８ｍｍに達したところで、相対光電流が最大の１００％になった。検出距離が約０．８ｍｍを越えると、相対光電流が減少側に変化し、検出距離の増加に対して略反比例となるように相対光電流が減少するようになった。検出距離が１．０ｍｍのとき、相対光電流は約９６％であった。また、相対光電流が４０％まで減少したとき、その検出距離は約２．３ｍｍであった。この検出距離約２．３ｍｍを越えると、相対光電流の変化率が減少して曲線が緩やかになった。因みに、検出距離が３．０ｍｍのとき、相対光電流は約２２％であった。そして、検出距離が４．０ｍｍでは相対光電流は約８％となり、検出距離が５．０ｍｍになると相対光電流は約３％であった。
【００５４】
ここで、光電流は、検出物体の反射光により受光素子に流れる電流量であり、その値は検出物体の反射率によって変化する。なお、上記の相対光電流は、検出距離を変化させたときの最大の光電流で規格化した値である。
【００５５】
図１０は、２つの距離検出センサ５１，５２で、インク吐出部３７と光ディスク２の印刷面との間の距離Ｓを検出する状態を説明する図である。２つの距離検出センサ５１，５２の検出部側の表面は、インク吐出部３７の先端面よりも低く（内側）なるように設定されている。その理由は、印刷時に、仮に印刷面にインク吐出部３７が当接することがあっても、距離検出センサ５１，５２が印刷面に接触することがないようにして、距離検出センサ５１，５２の破損等を防止するためである。
【００５６】
これら第１の距離検出センサ５１及び第２の距離検出センサ５２には、値（距離）の異なる距離基準値をそれぞれ設定する。例えば、第１の距離検出センサ５１には第１の基準距離Ｋ１を設定し、第２の距離検出センサ５２には第１の基準距離Ｋ１よりも大きな値の第２の基準距離Ｋ２（Ｋ１＜Ｋ２）を設定する。そして、第１の基準距離Ｋ１と第２の基準距離Ｋ２との間の値となるように、インク吐出部３７と光ディスク２の印刷面との間の距離Ｓを制御する。
【００５７】
具体的には、第１の基準距離Ｋ１をヘッド最短距離（印刷時に印刷ヘッドを光ディスクに最も近づけて印刷できる距離）とすると、例えば、Ｋ１＝０．５ｍｍを用いることができる。そして、第２の基準距離Ｋ２をヘッド最長距離（印刷時に印刷ヘッドを光ディスクから最も遠ざけて印刷できる距離）とすると、例えば、Ｋ２＝１．０ｍｍを用いることができる。従って、この場合の距離Ｓの許容範囲は、Ｓ＝Ｋ２−Ｋ１＝１．０−０．５＝０．５ｍｍとなる。なお、距離Ｓを制御するための目標値としては、例えば、第１の基準距離Ｋ１＝０．５ｍｍと第２の基準距離Ｋ２＝１．０ｍｍとの略中間の値の０．８ｍｍ程度が好適である。
【００５８】
また、２つの距離検出センサ５１，５２は、その検出部の表面が、インク吐出部３７の表面までの距離よりも遠い位置、即ち、インク吐出表面より離れた位置となるように設定するとよい。例えば、距離検出センサ５１，５２の最下面とインク吐出部３７の最下面との間に段差Ｔを設ける。このように段差Ｔを設けて２つの距離検出センサ５１，５２を配置することにより、距離検出センサ５１，５２が光ディスク２の印刷面に接触する前に、インク吐出部３７が印刷面に当接することになる。これにより、距離検出センサ５１，５２が光ディスク２の印刷面に当接して破壊されるのを防止することができる。なお、段差Ｔとしては、例えば、０．３ｍｍ程度が好適である。この段差Ｔを考慮すると、２つの距離検出センサ５１，５２は、距離Ｓに段差Ｔを加えた距離（ギャップ）を検出することになる。この位置関係であれば、インク吐出部３７が当接したことで印刷ヘッド３１を交換する必要が生じた場合であっても、２つの距離検出センサ５１，５２を交換する必要は無い。
【００５９】
なお、光ディスク２の印刷面は、その光ディスク２の一面をなすレーベル面２ａである。また、光ディスク２のレーベル面２ａにレーベルシート５３が貼り付けられている場合には、その貼付されているレーベルシート５３の表面５３ａが印刷面となる。印刷ヘッド３１が組み合わされたヘッドホルダ４１は、ヘッドスライダ４２によって相対的に移動可能に支持されている。
【００６０】
図６は、ヘッドホルダ４１とこれを支持するヘッドスライダ４２を図示した説明図である。また、図７は、印刷ヘッド３１と光ディスク２と光学ピックアップ２３の高さ方向における位置関係を説明する説明図である。図６及び図７に示すように、ヘッドスライダ４２の下方に、所定の隙間をあけて光ディスク２が臨むように構成されている。このとき光ディスク２は、シャーシプレート１７の反対側に配置されたディスクドライブ装置９のディスク回転機構のターンテーブル（図示せず。）に装着されており、そのターンテーブルに対して光学ピックアップ２３が、光ディスク２の主面である面方向と垂直をなす方向へ接近及び離反可能とされている。
【００６１】
ヘッドスライダ４２は、印刷ヘッド３１の長手方向となる前後方向に所定の間隔をあけて配置された前側部材４２Ａ及び後側部材４２Ｂと、左右方向に所定の間隔をあけて配置されると共に前側部材４２Ａと後側部材４２Ｂを連結する左右の連結部材５４Ａ，５４Ｂとから構成されている。前側部材４２Ａ及び後側部材４２Ｂは、それぞれ長手方向と交差する左右方向に所定の間隔をあけて上方に立ち上げられている。そして、一方の立上げ側の先端には、側方に突出する第１の軸受部５５ａ，５５ａが設けられ、他方の立上げ側の先端には、反対側の側方に突出する第２の軸受部５５ｂ，５５ｂが設けられている。
【００６２】
第１の軸受部５５ａ，５５ａには、それぞれ第１の軸受穴５６ａ，５６ａが設けられており、２つの第１の軸受穴５６ａ，５６ａは同一軸心線上に設定されている。同様に、第２の軸受部５５ｂ，５５ｂには、それぞれ第２の軸受穴５６ｂ，５６ｂが設けられており、２つの第２の軸受穴５６ｂ，５６ｂも同一軸心線上に設定されている。そして、第１の軸受穴５６ａ及び第２の軸受穴５６ｂには、それぞれ軸受部材５８が装着されて圧入等の固定手段により固定されている。これらの軸受部材５８には、２本のヘッドガイド軸４３Ａ，４３Ｂが摺動自在に挿通されている。
【００６３】
図８は、印刷ヘッド３１がヘッドホルダ４１によって保持されている状態と、そのヘッドホルダ４１が３本のガイドピン５９ａ，５９ｂを介してヘッドスライダ４２に対して相対的に移動可能に支持されている状態を説明する説明図である。ヘッドホルダ４１の一方の長辺部には第１の支持板６１Ａが取り付けられ、他方の長辺部には第２の支持板６１Ｂが取り付けられている。２つの支持板６１Ａ，６１Ｂは、それぞれ上面部６２ａと側面部６２ｂを有しており、両面部の端部を連続させることによって断面形状がＬ字状をなす部材として形成されている。
【００６４】
２つの支持板６１Ａ，６１Ｂは、それぞれの側面部６２ｂ，６２ｂをヘッドホルダ４１の長辺部に固定することによってヘッドホルダ４１と一体的に構成されている。これにより、第１の支持板６１Ａの上面部６２ａが、印刷ヘッド３１の幅方向の一側において前後方向に所定の間隔をあけて配置された第１の軸受部５５ａ，５５ａの上方に対向されている。そして、第２の支持板６１Ｂの上面部６２ａが、印刷ヘッド３１の幅方向の他側において前後方向に所定の間隔をあけて配置された第２の軸受部５５ｂ，５５ｂの上方に対向されている。
【００６５】
第１の支持板６１Ａの上面部６２ａの長手方向の両端には、その側面部６２ｂと略平行をなす方向である下方に延在されたガイドピン５９ａ，５９ａが設けられている。２本のガイドピン５９ａ，５９ａは、２つの軸受部５５ａ，５５ａの上面に開口するように設けたガイド孔６４ａ，６４ａにそれぞれ摺動可能に挿入されている。また、第２の支持板６１Ｂの上面部６２ａの長手方向の中間部には、その側面部６２ｂと略平行をなす方向である下方に延在された１本のガイドピン５９ｂが設けられている。ガイドピン５９ｂは、連結部材５４Ｂの上面に開口するように設けたガイド孔６４ｂに摺動可能に挿入されている。これらのガイドピン５９ａ，５９ａ，５９ｂ及びガイド孔６４ａ，６４ａ，６４ｂは、ヘッドホルダ４１の動きを規制して、ヘッドスライダ４２に対してヘッドホルダ４１を略平行移動させる機能を果たす第１のガイド機構を構成している。
【００６６】
更に、ヘッドスライダ４２に対するヘッドホルダ４１の平行移動の動作機能を高めるため、この実施例では、図７に示すように、２つの長穴６５ａ，６５ａと、その長穴６５ａに摺動可能に係合される２つの突起６５ｂ，６５ｂとからなる第２のガイド機構６５が設けられている。２つの長穴６５ａ，６５ａは、第１の支持板６１Ａの側面部６２ｂにおいて、横方向へ所定の間隔をあけて配置されていると共に上下方向へ延在するように形成されている。これに対応するように、２つの突起６５ｂ，６５ｂは、第１の連結部材５４Ａの内面において、所定の間隔をあけて内側へ突出するように設けられている。
【００６７】
このように、ヘッドスライダ４２に対してヘッドホルダ４１を略平行に移動させるために２種類のガイド機構を設けた理由は、ヘッドホルダ４１を動作させるための動力源である電動モータを印刷ヘッド３１の水平方向の一側に配置しなければならない構造となっていたことによるものである。即ち、ヘッドスライダ４２に対してヘッドホルダ４１を相対的に移動させるためのステッピングモータ等からなる調整モータ６６が、ヘッドホルダ４１の幅方向の一側に配置されている。
【００６８】
調整モータ６６は、ヘッドスライダ４２側に固定される固定部６６ａと、この固定部６６ａに回転自在に保持された送りナットを有する回転部６６ｂと、その回転部６６ｂを貫通するネジ軸６７とを有している。調整モータ６６の固定部６６ａは、第１の連結部材５４Ａに設けた棚板６８上に搭載されて一体的に固定されている。また、ネジ軸６７は、第１の支持板６１Ａの下面に一端を固定することによってヘッドホルダ４１に取り付けられている。このネジ軸６７は、調整モータ６６の中心部を上下方向へ貫通して棚板６８の下方に突出されている。
【００６９】
上述した調整モータ６６と、ネジ軸６７とにより、印刷面に対して印刷ヘッド３１を接近又は離反させるように移動させて距離Ｓを調整する距離調整部６０が構成されている。かくして、調整モータ６６を駆動すると、その回転部６６ｂの回転に基づく送りナットの回転により、その回転方向に応じてネジ軸６７が、その軸方向へ移動する。このネジ軸６７の移動により、第１の支持板６１Ａを介して固定されているヘッドホルダ４１と共に印刷ヘッド３１が、ヘッドスライダ４２の移動方向（前後方向）と垂直をなす方向（光ディスク２の主面と垂直方向）へ相対的に移動される。
【００７０】
このとき、調整モータ６６は印刷ヘッド３１の一側に配置されており、ネジ軸６７の軸心線は印刷ヘッド３１の中心部から離れた位置にある。そのため、軸心線方向へ移動可能とされているネジ軸６７の移動力によって印刷ヘッド３１には回転モーメントが生じ、前記垂直をなす方向と直交する方向に向かう分力が印刷ヘッド３１に作用することになる。この直交方向の分力は、印刷ヘッド３１の垂直方向へのスムースな移動を妨げる抵抗力として作用する。
【００７１】
これに対して、この発明の実施例では、ヘッドホルダ４１に２つの支持板６１Ａ、６１Ｂを固定すると共に、各支持板６１Ａ，６１Ｂにガイドピン５９ａ，５９ｂを設け、それらのガイドピン５９ａ，５９ｂを、ヘッドスライダ４２の前側部材４２Ａ及び後側部材４２Ｂに設けたガイド孔６４ａ，６４ａ並びに第２の支持板６１Ｂに設けたガイド孔６４ｂに摺動可能に係合している。しかも、３つのガイドピン５９ａ，５９ａ，５９ｂは、三角形を形成するようにバランス良く配置されているため、３つのガイドピン５９ａ，５９ａ，５９ｂを同じような状態で摺動させることができる。その結果、ヘッドホルダ４１を、略水平状態を維持して前記垂直をなす方向へスムースに平行移動させることができる。
【００７２】
更に、第１の支持板６１Ａの側面部６２ｂに２つの長穴６５ａ，６５ａを設け、これらに摺動可能に係合される２つの突起６５ｂ，６５ｂを第１の連結部材５４Ａに設けている。そのため、ヘッドホルダ４１の水平状態を更に精度よく維持することができ、そのヘッドホルダ４１を前記垂直をなす方向へ確実且つスムースに移動させることができる。
【００７３】
このような構成を有する距離調整部６０を備えた印刷ヘッド３１が、２本のヘッドガイド軸４３Ａ，４３Ｂによって移動可能に支持されている。図５に示すように、第１のヘッドガイド軸４３Ａは、ヘッドスライダ４２の一側に設けた第１の軸受部５５ａ，５５ａの２つの軸受穴５６ａ，５６ａに嵌合された各軸受部材５８に摺動自在に支持されている。そして、第２のガイド軸４３Ｂが、ヘッドスライダ４２の他側に設けた第２の軸受部５５ｂ，５５ｂの２つの軸受穴５６ｂ，５６ｂに嵌合された各軸受部材５８に摺動自在に支持されている。
【００７４】
２本のガイド軸４３Ａ，４３Ｂは、シャーシプレート１７に設けた開口穴１８の長手方向に延在されていると共に、所定の間隔を保持して互いに平行に配置されている。そして、２本のガイド軸４３Ａ，４３Ｂは、２個のガイド軸受４４Ａ，４４Ｂにより固定されて両端支持されている。２個のガイド軸受４４Ａ，４４Ｂは、開口穴１８の長手方向の両端部に配置されており、固定ネジによってシャーシプレート１７にそれぞれ固定されている。
【００７５】
一方のガイド軸４３Ｂの外側には、送りネジ軸４５が所定の間隔をあけて配置されている。送りネジ軸４５は、２本のガイド軸４３Ａ，４３Ｂと平行に設定されており、その軸方向の一端に取り付けたジョイント７１によってヘッド送りモータ４７の回転軸と連結されている。ヘッド送りモータ４７はモータブラケット７２に固定されていて、そのモータブラケット７２は、固定ネジ等の固定手段によってシャーシプレート１７に固定されている。送りネジ軸４５には送りナット４６が螺合されており、その送りナット４６にはナット取付板７３が固定されている。ナット取付板７３は、固定ネジによってヘッドスライダ４２に固定されている。
【００７６】
かくして、ヘッド送りモータ４７を駆動すると、その回転軸の回転力がジョイント７１を介して送りネジ軸４５に伝達され、更に、送りナット４６に伝達される。このとき、送りナット４６はナット取付板７３を介してヘッドスライダ４２に固定されているため回転することはないが、ヘッドスライダ４２は２本のヘッドガイド軸４３Ａ，４３Ｂにガイドされてその軸方向へ移動可能とされている。そのため、送りナット４６は、送りネジ軸４５の回転方向に応じて、ヘッド送りモータ４７に近づく方向か又はヘッド送りモータ４７から遠ざかる方向へ選択的に移動する。これにより、ヘッドスライダ４２が送りナット４６と一体的に移動し、その結果、印刷ヘッド３１が、送りネジ軸４５の軸方向と同方向となっている前後方向に移動される。
【００７７】
印刷ヘッド３１の前後方向への移動は、２つの位置検出センサ７４，７５によって検出可能とされている。第１の位置検出センサ７４は、印刷ヘッド３１のインク吐出部３７が光ディスク２の半径方向内側へ移動し、中心部に最も近い部分を所定距離だけ通過したディスク内側停止位置を検出するものである。また、第２の位置検出センサ７５は、印刷ヘッド３１のインク吐出部３７が光ディスク２の半径方向外側へ移動し、中心部から最も遠く離れたディスク外側停止位置を検出するものである。
【００７８】
これらの位置を検出するため、位置検出片７６がナット取付板７３に取り付けられている。この位置検出片７６を第１の位置検出センサ７４で検出することによってディスク内側停止位置が検出され、その位置に印刷ヘッド３１が停止される。同様に、位置検出片７６を第２の位置検出センサ７５で検出することによってディスク外側停止位置が検出され、その位置に印刷ヘッド３１が停止される。
【００７９】
図３には、印刷装置１０が、シャーシプレート１７を取り除いた状態で筐体３内に収納されていて、ディスクトレイ１２等と重ね合わされている状態が表されている。この光ディスク装置１では、印刷装置１０の印刷ヘッド３１の略中心にあるインク吐出部３７が通るヘッド中心線Ｌｂは、ディスクドライブ装置９の中心部となっているディスク装着部（ターンテーブル）２０の回転中心Ｏｃを通る本体中心線Ｌａから距離Ｅだけ離心した位置に設定されている。そのため、印刷ヘッド３１は光ディスク２の印刷面に対して、回転中心Ｏｃから距離Ｅだけ離心したヘッド中心線Ｌｂの軌跡上を移動して印刷作業を実行する。
【００８０】
また、ヘッド中心線Ｌｂ上において、筐体３の奥側には、印刷ヘッド３１のインク吐出部３７に装着されるヘッドキャップ７７と、インク溜め７８が配置されている。ヘッドキャップ７７は、インク吐出部３７のノズルの乾燥を防ぎ、インクが乾いてノズルに詰まるのを防止するものである。また、インク溜め７８は、インク吐出部３７のノズルに空気が入らないように空うちして、インクが出ないといった印刷エラーを防止するものである。図３１は、光ディスク２の方向性を定義する説明図である。即ち、光ディスク２の半径方向Ｙがラジアル方向であり、これに直交する接線方向Ｘがタンジェンシャル方向を示している。
【００８１】
図１４は、光ディスク装置１における信号の流れを示したブロック図である。光ディスク装置１の制御装置８０は、中央制御部８１と、インターフェース部８２と、ドライブ制御部８３と、トレイ駆動回路８４と、記録制御回路８５と、信号処理部８６と、プリント画像生成部８７と、プリント制御部８８と、距離センサ駆動回路９０と、プリント機構部駆動回路９１と、インク吐出駆動回路９２と、インク残量検出回路９３等を備えて構成されている。
【００８２】
中央制御部８１は、ドライブ制御部８３とプリント画像生成部８７とプリント制御部８８の制御をする部分である。この中央制御部８１は、インターフェース部８２から供給された記録データ信号をドライブ制御部８３へ出力する。また、中央制御部８１は、インターフェース部８２から供給される画像データ信号や、ドライブ制御部８３から供給される位置データ信号を、プリント画像生成部８７及びプリント制御部８８に出力する。
【００８３】
インターフェース部８２は、パーソナルコンピュータやＤＶＤレコーダ（より詳しくは図示しないＤＶＤレコーダ本体制御部）等の外部装置と光ディスク装置１とを電気的に接続する接続部である。このインターフェース部８２は、外部装置から供給された信号を中央制御部８１に出力する。この中央制御部８１に供給される信号は、外部装置に記憶された外部記憶情報に対応する信号であり、例えば、光ディスク２の情報記録部に記録する記録情報に対応した記録データ信号や、光ディスク２の印刷面（光ディスク２の表面又はレーベルシートの表面）に印刷する可視情報に対応した画像データ信号等を挙げることができる。
【００８４】
更に、インターフェース部８２は、光ディスク装置１が光ディスク２の情報記録部から読み出した再生データ信号を外部装置に出力する。なお、これら外部装置と光ディスク装置１との電気的インターフェースとしては、ＳＣＳＩ(Small Computer System Interface)やパラレルＡＴＡ（AT Attachment）、シリアルＡＴＡやＵＳＢ（Universal Serial Bus）等を用いることができる。
【００８５】
ドライブ制御部８３は、ディスク回転機構のスピンドルモータ２１の回転を制御したり、トレイ駆動回路８４や記録制御回路８５の動作を制御する。即ち、ドライブ制御部８３は、中央制御部８１から供給される制御信号に基づいて制御信号を出力し、スピンドルモータ２１を駆動させる。これにより、スピンドルモータ２１のターンテーブル２０に装着された光ディスク２が、例えば、線速度を一定として回転駆動される。更に、ドライブ制御部８３は、トレイ駆動回路８４と記録制御回路８５の動作を制御するため、これらに制御信号を出力する。また、ドライブ制御部８３は、信号処理部８６から供給される位置データ信号を中央制御部８１に出力する。
【００８６】
トレイ駆動回路８４は、トレイ搬送機構の駆動モータ（図示しない）の回転を制御する。このトレイ駆動回路８４から出力される制御信号に基づいてトレイ用の駆動モータが駆動される。これにより、ディスクトレイ１２が、筐体３内のディスク装着位置と筐体３外のディスク取出位置との間を搬送される。また、記録制御回路８５は、光学ピックアップ２３による記録データ信号の記録や再生データ信号の再生等を制御する。
【００８７】
光学ピックアップ２３は、レーザ光源２３ａと受光素子２３ｂを有しており、レーザ光源２３ａから発射されてピックアップレンズから照射される光ビームが、光ディスク２の情報記録部で反射されて受光素子２３ｂに受光される。この光ビームを情報記録部に設けたトラックに追跡させてトラックサーボ及びフォーカスサーボを実行させるための制御信号を、記録制御回路８５が光学ピックアップ２３に出力する。この記録制御回路８５から供給される制御信号に基づいてピックアップ用の駆動モータが駆動される。これにより、光学ピックアップ２３が、スライド部材と一体に光ディスク２の半径方向へ移動される。
【００８８】
信号処理部８６は、光学ピックアップ２３から供給されるＲＦ（Radio Frequency）信号の復調及び誤り検出等を行い、再生データ信号を生成する。また、信号処理部８６は、ＲＦ信号に基づいて同期信号等の特定パターンを有する信号や光ディスク２の位置データを表す信号として位置データ信号を検出する。この位置データ信号としては、例えば、光ディスク２の回転角を示す回転角信号や、光ディスク２の回転位置を示す回転位置信号を挙げることができる。これら再生データ信号及び位置データ信号は、ドライブ制御部８３に出力される。
【００８９】
プリント画像生成部８７は、中央制御部８１から供給される制御信号に基づいてプリント画像を生成する。また、プリント制御部８８は、中央制御部８１から供給される制御信号に基づいて印刷装置１０の印刷ヘッド３１と、この印刷ヘッド３１を動作させるヘッド駆動機構と、印刷ヘッドと印刷面との間の距離を検出する距離検出部と、印刷ヘッド３１及び距離検出部をクリーニングする後述するクリーニング機構３４等の制御を行う。
【００９０】
このプリント制御部８８は、プリント画像生成部８７で生成されて中央制御部８１から供給された画像データ信号により得られた画像データに基づいてインク吐出データを生成する。そして、プリント制御部８８は、生成したインク吐出データと、中央制御部８１から供給される位置データ信号に基づいて印刷装置１０を制御する制御信号を生成し、距離センサ駆動回路９０と、プリント機構部駆動回路９１と、インク吐出駆動回路９２とに制御信号を出力する。このプリント制御部８８によるプリント機構部駆動回路９１及びインク吐出駆動回路９２の制御により、印刷ヘッド３１の制御を介して光ディスク２の印刷面に所望の可視情報が印刷される。
【００９１】
距離センサ駆動回路９０は、印刷ヘッド３１と印刷面との間の距離Ｓを検出する２つの距離検出センサ５１，５２と、その距離Ｓを調整する調整モータ６６とに接続されている。これにより、２つの距離検出センサ５１，５２から距離センサ駆動回路９０に対して、検出した距離に対応する検出信号が供給される。そして、距離センサ駆動回路９０から２つの距離検出センサ５１，５２に対して、距離Ｓを調整するための制御信号が供給される。この制御信号と検出信号の制御がプリント制御部８８によって実行される。
【００９２】
プリント機構部駆動回路９１は、プリント制御部８８から供給される制御信号に基づいてヘッド送りモータ４７と、ヘッドキャップ７７と、吸引ポンプ９４と、ブレード９５と、距離センサクリーニング９６と、ヘッド上下動９７である距離調整部６０の調整モータ６６とを駆動させる。このとき、ヘッド送りモータ４７が駆動されることにより、印刷ヘッド３１が光ディスク２の半径方向内側から外側へ移動される。この印刷ヘッド３１の移動方向は、この実施例とは逆に、光ディスク２の半径方向外側から内側へ移動されるようにしてもよい。
【００９３】
インク吐出駆動回路９２は、プリント制御部８８から供給された制御信号に基づいて印刷ヘッド３１を駆動させる。これにより、印刷ヘッド３１のインク吐出部３７における各吐出ノズルからインク滴が吐出され、回転駆動された光ディスク２の印刷面にインク滴が付着される。印刷ヘッド３１には、例えば、Ｃ（シアン），Ｙ（イエロー），Ｍ（マゼンタ）の３色が収納されている。この３種類のインクの組み合わせにより、Ｒ（赤），Ｇ（緑），Ｂ（青）の各色の明るさを表す階調値で表現された画像データからなる可視情報として表示される。
【００９４】
インク吐出駆動回路９２は、印刷ヘッド３１に収納されているインクの残量を検出し、その残量の多少を表示手段によって表示する。このインク残量の検出は使用されているインク毎に行われるが、インクの使用量は印刷条件によって異なるため、通常は、いずれかのインクの残量が所定量以下に減少することによって、インク残量が少ない旨の表示が行われる。
【００９５】
一般に、印刷装置１０の印刷ヘッド３１から吐出されるインク滴の全てが印刷面に着弾されるものではなく、着弾しなかったインク滴はミストとなって装置内に浮遊し、内部の機構や機器等を汚染する。このミストを少なくするためには、印刷ヘッド３１と印刷面との距離Ｓを小さくすることが好ましいが、光ディスク２には面ぶれもあるため、その距離Ｓをあまり小さくし（近づけ）すぎると、印刷ヘッド３１と印刷面が衝突するおそれがある。また、光ディスク２には、厚さ等について規格があるため、通常は、所定以上の厚さのものが使用されることはない。
【００９６】
ところが、時として、極端に厚さの厚い光ディスクや、レーベルシートを貼ったために厚くなっている光ディスクが存在する。そのため、このような所定以上の厚さを有する光ディスクが光ディスク装置１に挿入されるおそれがある。従って、光ディスク装置１においては、まず、光学ピックアップ２３で読み書きのできる光ディスク以外のディスクを排除する必要がある。次に、光学ピックアップ２３で読み書きできる光ディスクであっても、印刷ヘッド３１と印刷面との間の距離Ｓが適当でないものは、印刷不良を生じたり、装置の内部を汚染させるおそれがあるため、同じく印刷せずに排除する必要がある。この実施例の場合には、印刷ヘッドと印刷面との間の距離Ｓが、例えば、０．５ｍｍから１．０ｍｍまでの範囲内である場合に、その印刷面に対する印刷作業が実行される。
【００９７】
図１５は、プリント制御部８８による印刷装置１０の制御の第１の実施例を示すフローチャートである。まず、ステップＳ１において、光ディスク２の情報記録部に対して、光学ピックアップ２３による情報信号の読み込み又は書き込みができるか否かを判定する。この判定は、ディスク装着部２０に光ディスク２が装着されているか否か、又は、装着されているディスクが情報信号の記録・再生が可能な所定の光ディスクであるか否かを検出するものである。この判定は、例えば、光ディスク２の情報記録部に記録されている情報を再生することにより、即ち、光学ピックアップ２３から供給される信号を見ることによって行うことができる。
【００９８】
このステップＳ１において、情報信号の読み・書きができないと判定されたときには、ディスク装着部２０に光ディスク２が装着されていないか、又は、装着されているディスクが所定の光ディスクではないため、これで処理を終了する。
【００９９】
一方、ステップＳ１において、情報信号の読み・書きができると判定されたときには、ステップＳ２に移行する。ステップＳ２では、第１の距離検出センサ５１から供給される第１の距離検出信号を読み込む。そして、ステップＳ３に移行して、第１測定距離Ｌ１は第１基準距離Ｋ１より大きいか否かを判定する。この判定は、印刷面に対して印刷ヘッド３１が第１基準距離Ｋ１より遠い位置にあるか近い位置にあるかを見るものである。
【０１００】
このステップＳ３において、第１測定距離Ｌ１は第１基準距離Ｋ１より小さいと判定されたとき（Ｋ１＞Ｌ１）には、ステップＳ４に移行する。このステップＳ４では、印刷ヘッド３１を印刷面から予め設定された所定距離だけ遠ざける。この段階では、印刷ヘッド３１が印刷面に近づき過ぎており、インク吐出部３７が印刷面に当接するおそれがあるためである。この印刷ヘッド３１を遠ざける動作は、距離調整部６０の調整モータ６６を駆動することによって実行される。即ち、調整モータ６６を駆動して、印刷面から離れる方向へ印刷ヘッド３１を移動させる。そして、ステップＳ２に戻る。
【０１０１】
このステップＳ２では、第１の距離検出センサ５１で新たに検出した第１の距離検出信号を読み込む。そして、ステップＳ３に移行して、新たに読み込んだ第１測定距離Ｌ１が第１基準距離Ｋ１より大きいか否かを判定する。この判定の結果、以前として第１測定距離Ｌ１が第１基準距離Ｋ１より小さいとき（Ｋ１＞Ｌ１）には、ステップＳ４に移行して、印刷ヘッド３１を印刷面から遠ざける処理を実行する。このステップＳ２からステップＳ４までの処理を繰り返すことにより、第１測定距離Ｌ１を第１基準距離Ｋ１より大きい値（Ｋ１＜Ｌ１）にすることができる。その結果、次に、ステップＳ５に移行する。
【０１０２】
また、ステップＳ３において、当初から第１測定距離Ｌ１が第１基準距離Ｋ１より大きいと判定されたとき（Ｋ１＜Ｌ１）には、そのままステップＳ５に移行する。ステップＳ５では、第２の距離検出センサ５２から供給される第２の距離検出信号を読み込む。そして、ステップＳ６に移行して、第２測定距離Ｌ２は第２基準距離Ｋ２｛例えば、第２基準距離Ｋ２は第１基準距離Ｋ１より大きな値とする（Ｋ１＜Ｋ２）。なお、Ｋ１とＫ２の大小は逆であってもよい。）より小さいか否かを判定する。この判定は、印刷面に対して印刷ヘッド３１が第２基準距離Ｋ２より遠い位置にあるか近い位置にあるかを見るものである。
【０１０３】
このステップＳ６において、第２測定距離Ｌ２は第２基準距離Ｋ２より大きいと判定されたとき（Ｋ２＜Ｌ２）には、ステップＳ７に移行する。このステップＳ７では、印刷ヘッド３１を印刷面から所定距離だけ近づける。この段階では、印刷ヘッド３１が印刷面から離れ過ぎており、印刷時に発生したインク滴のミストによって装置内部を汚すおそれがあり、最悪の場合には光学ピックアップのピックアップレンズを汚染させるおそれがあるためである。この印刷ヘッド３１を近づける動作は、距離調整部６０の調整モータ６６を駆動することによって実行される。即ち、調整モータ６６を駆動して、印刷面に近づく方向へ印刷ヘッド３１を移動させる。そして、ステップＳ８に移行する。
【０１０４】
このステップＳ８では、第２の距離検出センサ５２で新たに検出した第２の距離検出信号を読み込み、新たに読み込んだ第２測定距離Ｌ２が第１基準距離Ｋ１より大きいか否かを判定する。この判定は、第２測定距離Ｌ２が第１基準距離Ｋ１と第２基準距離Ｋ２との間の値（Ｋ１＜Ｌ２＜Ｋ２）、即ち、隙間Ｓとして適正な範囲内の値となっているか否かを見るものである。この判定の結果、第２測定距離Ｌ２が第１基準距離Ｋ１より大きいとき（Ｋ１＜Ｌ２）には、ステップＳ６に戻って、再び第２測定距離Ｌ２が第２基準距離Ｋ２より小さいか否かを判定する。このステップＳ６からステップＳ８までの処理を繰り返すことにより、第２測定距離Ｌ２を第１基準距離Ｋ１よりも大きく且つ第２基準距離Ｋ２よりも小さい、制御する距離Ｓとして好適な範囲内の値（Ｋ１＜Ｌ２＜Ｋ２）に設定することができる。
【０１０５】
なお、ステップＳ８において、第２測定距離Ｌ２が第１基準距離Ｋ１より小さいと判定されたとき（Ｋ１＞Ｌ２）には、ステップＳ９に移行する。このステップＳ９では、印刷ヘッド３１による印刷面への印刷を行うことなく、光ディスク２を排出する。このディスク排出処理は、印刷装置１０による印刷を続行しようとすると、インク吐出部３７が印刷面に当接するおそれが生じるためである。これで、処理を終了する。
【０１０６】
また、ステップＳ６において、第２測定距離Ｌ２は第２基準距離Ｋ２より小さいと判定されたとき（Ｋ２＞Ｌ２）には、ステップＳ１０に移行する。このステップＳ１０では、印刷装置１０による光ディスク２の印刷面に対する印刷作業を実行する。その後、ステップＳ１１に移行して、光ディスク２を排出する。これにより、印刷装置１０による光ディスク２の印刷面に対する印刷作業が完了する。
【０１０７】
図１１Ａ及び図１１Ｂは、ディスクの回転方向と、そのディスクの印刷面に対向された印刷ヘッド３１のインク吐出部３７から吐出されるインク滴と、距離検出センサ５１，５２との位置関係を説明する図である。図示したように、印刷ヘッド３１のインク吐出部３７の左側に２つの距離検出センサ５１，５２を配置し、そのインク吐出部３７及びセンサ検出部に主面が対向される光ディスク２を、その主面方向に回転させるものとする。
【０１０８】
図１１Ｂに示すように、光ディスク２を左方向Ｒ２へ回転させることによって２つの距離検出センサ５１，５２を、ディスク回転方向の下流側に配置させると、インク吐出部３７から吐出されるインク滴Ｑのうち、直径が大きくて質量の大きなものは印刷面２ａまで到達する。しかしながら、インク滴Ｑのうち、直径が小さくて質量の小さな一部のものは、ミストＱｍとなって空中を浮遊する。そして、空中を浮遊するインクのミストＱｍは、ディスクの回転によって生じる空気流に乗って移動する。このとき、インク吐出部３７の下流側に距離検出センサ５１，５２があると、これらにミストＱｍが付着するおそれがある。特に、距離検出センサ５１，５２の検出部にミストＱｍが付着すると、検出精度が低下するばかりでなく、検出不能を生じるおそれもある。
【０１０９】
これに対して、図１１Ａに示すように、ディスク回転方向Ｒ１の上流側に距離検出センサ５１，５２を配置させると、インク吐出部３７から吐出されるインク滴ＱのうちのミストＱｍは、ディスク回転方向Ｒ１の下流側に流れるため、ミストＱｍが距離検出センサ５１，５２に付着するおそれを少なくすることができ、特に、その検出部にミストＱｍが付着するおそれを効果的に抑制することができる。このように、印刷面と印刷ヘッドとの間の距離を検出する距離検出センサ５１，５２を、インク吐出部３７のディスク回転方向Ｒ１の上流側に配置することにより、距離検出センサ５１，５２による距離Ｓの検出精度を長期間に亘って精度良く維持することができる。
【０１１０】
図１３Ａ及び図１３Ｂは、本発明の光ディスク装置１に係る距離調整部の第２の実施例を示すものである。この距離調整部１００は、ステッピングモータ等の電動モータを用いた調整モータ１０１と、この調整モータ１０１の回転軸に固定された円板カム１０２と、この円板カム１０２が回転可能に係合されるカム溝１０３を有する第１の支持板６１Ａとによって構成されている。第１の連結部材５４Ａには、面方向に展開されたベース部１０４が設けられており、このベース部１０４に調整モータ１０１が固定されている。調整モータ１０１は、回転軸を横方向に延在させた状態で取り付けられており、その回転軸の先部に円板カム１０２が、偏心量を適宜に設定して取り付けられている。
【０１１１】
円板カム１０２は、第１の支持板６１Ａの側面部６２ｂに設けたカム溝１０３に回動可能に係合されている。カム溝１０３は、印刷ヘッド３１が移動する方向と平行をなす方向に延在されている。これにより、調整モータ１０１を駆動して円板カム１０２を回動させると、カム溝１０３が印刷ヘッド３１の移動方向と平行する方向に延在されているため、これと垂直をなす方向、即ち、光ディスク２の印刷面と垂直をなす方向にヘッド組立体５０が移動する。このようにして距離調整部１００は、印刷ヘッド３１と印刷面との間の距離Ｓを調整することができる。なお、印刷ヘッド３１を保持するヘッドホルダ４１及びヘッドスライダ４２等の構成は、前記実施例と同様であるため、同一部分には同一の符号を付して重複した説明を省略する。
【０１１２】
図１６及び図１７は、距離検出部を１個の距離検出センサ１１１で構成した実施例を示すものである。即ち、図１６は、１個の距離検出センサ１１１が取り付けられた印刷ヘッド組立体１１０を示す外観斜視図である。また、図１７は、図１６に示した印刷ヘッド組立体１１０と光ディスク２と光学ピックアップ２３との位置関係を示すもので、図７に対応した説明図である。
【０１１３】
この実施例に係る印刷ヘッド組立体１１０は、その外観形状は前記実施例で示した印刷ヘッド組立体５０から１個の距離検出センサを取り除いた場合と同様であるが、１個の距離検出センサ１１１によって距離Ｓを検出する方法が異なっている。そのため、距離検出センサが１個である点と、この距離検出センサから供給される検出情報に基づき距離Ｓを算出してその距離Ｓを制御する距離制御手段を除けば残りの構成は同一であるため、同一部分には同一の符号を付して重複した説明を省略する。
【０１１４】
この実施例で示す距離制御手段は、１個の距離検出センサ１１１から供給される距離検出信号に基づいて距離Ｓを制御するが、距離検出センサ１１１による検出距離がある値を越えると、その検出出力が最大となる検出出力の値を境に検出出力の変化量がプラス側からマイナス側に変化することを利用して、その変化点を検出することによって距離Ｓを制御するようにしたものである。距離検出センサ１１１の特性は、図１８Ａに示す通りのものである。また、光ディスク２が面ぶれを生じて回転しているものとすると、距離検出センサ１１１の検出部と光ディスク２の検出部（印刷面）との間の距離は、図１８Ｂに示すような回転毎に略同一の任意の曲線によって表される。
【０１１５】
ここで、光ディスクの「面ぶれ」は、光ディスクの形状の反りや歪み等の変形、及び、光ディスクをディスクドライブ装置９に取り付けたときの傾きや撓み、及び、光ディスクの回転時における振動モード等により、ディスクの各位置で回転時に上下動が発生している状態として知られている。図１８Ｂでは、本実施例の説明を簡単にするため、例えば、光ディスク２をディスクドライブ装置９に取り付けたときに傾きが生じた場合に見られるような、距離検出センサ１１１の検出部と光ディスク２の検出部（印刷面）との間の距離がサイン曲線状の距離変化を図示している。以下、光ディスクの面ぶれでの距離変化をサイン曲線として説明するが、本発明はこれに限定されるものではなく、光ディスクの面ぶれで生じる任意の距離変化での任意の曲線状の変化に適用できるものである。
【０１１６】
図１８Ｂは、光ディスク２が振れ幅１．０ｍｍの面ぶれ量｛＋（プラス）側に０．５ｍｍ、−（マイナス）側に０．５ｍｍ｝を持って回転しているときの状態を示している。この図１８Ｂでは、横軸にディスク回転角［ｄｅｇ］をとり、縦軸にディスク（印刷面）／センサ（検出部）間距離［ｍｍ］をとっている。図１８Ｂにおいて、測定点を黒丸で表したサイン曲線イは、ディスク／センサ間距離の平均値が３．０ｍｍのときを表している。そして、測定点を黒三角で表したサイン曲線ロは、ディスク／センサ間距離を近づけてディスク／センサ間距離の平均値が２．０ｍｍのときを表し、測定点を×印で表したサイン曲線ハは、さらに近づけてディスク／センサ間距離の平均値が１．０ｍｍのときを表している。
【０１１７】
この場合、印刷ヘッドの下面（ヘッド）と距離検出センサ１１１の検出部（センサ）との間に、破線ニで示す０．３ｍｍの段差Ｔが存在しているものとする。即ち、光ディスク２に相対して距離検出センサ１１１が印刷ヘッド３１よりも０．３ｍｍ奥まった位置に存在しているものとすると、印刷ヘッド３１とディスクが最も接近する距離は０．２ｍｍとなる。このとき、距離検出センサ１１１が光ディスク２に最も近づくサイン曲線ハの近距離では、印刷ヘッド３１からディスクの面ぶれ中心までの距離は０．７ｍｍとなる。また、距離検出センサ１１１が光ディスク２から最も遠くなるサイン曲線イの遠距離では、印刷ヘッド３１からディスクの面ぶれ中心までの距離は２．７ｍｍとなる。そして、サイン曲線イとサイン曲線ハとの中間のサイン曲線ロにおける中距離では、印刷ヘッド３１からディスクの面ぶれ中心までの距離は１．７ｍｍとなる。
【０１１８】
図１８Ｃは、図１８Ｂにおけるディスク／センサ間距離が生じている場合の距離検出センサ１１１の検出出力特性を示している。この図１８Ｃでは、横軸にディスク回転角［ｄｅｇ］をとり、縦軸に距離検出センサ１１１の検出出力［Ｖ］をとっている。いま、サイン曲線ロにおける出力を基準として考えると、サイン曲線イにおける出力は全体として小さくなり、サイン曲線ハにおける出力は全体として大きくなる。これは、距離検出センサ１１１の検出出力特性が図１８Ａに示すような特徴を有しているからである。
【０１１９】
なお、図１８Ａでは、相対光電流［％］を単位としているが、印刷面の反射率は実際の光ディスク２における印刷面の種類や状態によって定まるものである。そのため、図１８Ｃにおいては、所定の反射率を仮定して相対値ではない検出出力［Ｖ］を単位として記した。
【０１２０】
この距離検出センサ１１１の相対光電流［％］は、検出距離が０．５〜１．３ｍｍの範囲では領域ハで示すように９０％〜８５％となり、検出距離が１．５〜２．３ｍｍの範囲では領域ロで示すように７５％〜４０％となり、検出距離が２．５〜３．３ｍｍの範囲では領域イで示すように３５％〜１５％となる。この際、距離検出センサ１１１の相対光電流［％］は、検出距離０．５ｍｍの９０％の状態から更に増加し、約０．８ｍｍにおいて最大の１００％となる。そして、検出距離が約０．８ｍｍを越えると、増加側から減少側に方向転換して相対光電流［％］が減少する。
【０１２１】
このとき、実際の検出過程では、印刷面の反射率が未知である初期状態から検出出力［Ｖ］を観測するので、初期状態の検出出力［Ｖ］がどのくらいの相対光電流［％］に相当するのかは未知である。即ち、相対光電流［％］が最大の１００％となったときの検出出力［Ｖ］は、印刷面の反射率に依存するため初期状態では未知である。しかしながら、ディスク／センサ間距離を上記曲線イ、ロ、ハの順に近づけて行くことにより、相対光電流［％］が１００％となる距離を検知することができる。
【０１２２】
即ち、距離検出センサ１１１が光ディスク２に近づく方向へ移動する場合において、ディスク／センサ間距離が約０．８ｍｍになるまで相対光電流［％］及び検出出力［Ｖ］は増加し、約０．８ｍｍまで接近したところで相対光電流［％］が最大の１００％となり、それ以上に近づくと、相対光電流［％］及び検出出力［Ｖ］は減少側に反転する。この相対光電流［％］及び検出出力［Ｖ］のサイン曲線ハにおける方向反転領域ホを検出することにより、ディスク／センサ間距離の０．８ｍｍを検出することができる。この距離を距離検出センサ１１１の距離基準値として設定することにより、光ディスク２が、どの回転角でセンサ／印刷面間の距離Ｓが最も小さく（近く）なるかを知ることができる。このとき、ディスク／センサ間距離が０．８ｍｍであることを検出しているので、ディスク／ヘッド間距離は、０．８ｍｍ−０．３ｍｍ＝０．５ｍｍと知ることができる。
【０１２３】
図１９〜図２１は、プリント制御部８８による印刷装置１０の制御を１個の距離検出センサ１１１で実行する実施例を示すフローチャートである。即ち、図１９に示すフローチャートは、印刷処理の全体構成の概略を示すものである。そして、図２０に示すフローチャートは、図１９におけるステップＳ２２の詳細な構成を示し、図２１に示すフローチャートは、図１９におけるステップＳ２３の詳細な構成を示している。
【０１２４】
まず、ステップＳ２１において、ディスク装着部に装着されている光ディスク２を、印刷時と同じ回転速度で回転する。このようにすることで、測定時における光ディスク２の歪みや傾き、或いは振動モードによる面ぶれ状態を、印刷時における面ぶれ状態と同じものにすることができる。
【０１２５】
次に、ステップＳ２２に移行して、ディスク／センサ間を所定距離だけ離した状態で、ディスク／センサ間距離が最も近くなるディスク回転角（最接近回転角）を検出する。そして、ステップＳ２３に移行して、距離検出センサ１１１でディスク／センサ間距離の測定を繰り返しながら、ディスク／センサ間距離を近づける。次いで、ステップＳ２４に移行する。なお、ステップＳ２２及びステップＳ２３の処理の詳細は、このフローチャートを説明した後に行う。
【０１２６】
ステップＳ２４では、ディスク／センサ間距離を基準距離の範囲内に維持する。例えば、ディスク／センサ間の距離Ｓが、０．５ｍｍから１．０ｍｍまでの範囲内、好ましくは０．８ｍｍとなるように距離調整部６０（又は１００）を制御する。そして、ステップＳ２５に移行して、印刷ヘッド３１を印刷面に対して平行する方向へ移動しながら、インク吐出部３７からインクを吐出して、印刷面に所定の印刷処理を行う。これにより、光ディスク２の印刷面（ディスク表面に直接、或いは、そのディスク表面に貼られたレーベルシートの表面）に対して所定の文字、写真、絵等を印刷することができる。
【０１２７】
図２０に示すフローチャートは、ディスク／センサ間の距離Ｓが最も近くなる回転角を検出する処理工程を行うものである。まず、ステップＳ２２１において、上下移動モータである調整モータ６６（又は１０１）の駆動により印刷ヘッド３１を光ディスク２から離れる方向へ移動して、ディスク／センサ間の距離Ｓを離す。このステップＳ２２１では、初期状態として、これ以降のステップでディスク／センサ間の距離Ｓを近づけて行くため、ディスク／センサ（ヘッド）間で衝突が生じないように距離Ｓを十分に離すという準備処理に相当する処理を行う。また、この時点では、衝突を生じさせない目的で、印刷ヘッド３１及び距離検出センサ１１１をディスク半径の外側（ディスク領域外のディスクト相対しない位置、又は退避位置）に退避させておくことが望ましい。
【０１２８】
次に、ステップＳ２２２に移行して、距離検出センサ１１１を光ディスク２の半径方向に平行移動させ、距離検出センサ１１１を所定の距離検出位置に対向させる。この距離検出位置は、例えば、光ディスク２の外側部分であるが、内側部分であってもよく、また、半径方向の中間部であってもよい。ディスクドライブ装置９内部で光ディスク２は中心部に保持されているので、傾きや歪み等の効果によって一般的に光ディスク２の外側部分の方が面ぶれの振れ量が多くなる。しかし、光ディスク２の変形や回転による振動モード等の影響があれば、必ずしも外側部分の方が面ぶれの振れ量が多くなるわけではないので、半径方向の外側部分から内側部分までの複数箇所において距離検出を行うことがより望ましい。
【０１２９】
次に、ステップＳ２２３に移行して、距離検出センサ１１１でディスク／センサ間の距離Ｓを測定する。次いで、ステップＳ２２４に移行して、距離検出センサ１１１から供給される検出信号による検出出力に基づいて、印刷面と印刷ヘッド３１との間の距離Ｓが最も近くなる回転角（最接近回転角）を検出する。そして、ステップＳ２２５に移行して、最接近回転角を検出したか否かを判定する。このステップＳ２２５において、最接近回転角を検出したと判定されたときには、これで処理を終了して、ステップＳ２３に移行する。なお、半径方向について、複数の半径位置において距離検出を行う場合は、ディスク／センサ（ヘッド）間で衝突が生じないように、最接近回転角を判定する。
【０１３０】
一方、ステップＳ２２５において、最接近回転角を検出していないと判定されたときには、ステップＳ２２６に移行する。ステップＳ２２６では、調整モータ６６（又は１０１）の駆動により、印刷ヘッド３１を光ディスク２に近づける方向へ移動して、ディスク／センサ間の距離Ｓを所定量だけ近づける。次いで、ステップＳ２２３に戻り、ステップＳ２２３からステップＳ２２６までの処理を繰り返す。そして、最接近回転角を検出したところで、ステップＳ２３に移行する。
【０１３１】
図２１に示すフローチャートは、ディスク／センサ間距離Ｓの測定を繰り返しながら、ディスク／センサ間距離Ｓを近づける処理工程を行うものである。まず、ステップＳ２３１において、最接近回転角に対する距離検出センサ１１１の検出出力を測定する。次に、ステップＳ２３２に移行して、最接近回転角に対する距離検出センサ１１１の検出出力とその近傍における検出出力を抽出する。次いで、ステップＳ２３３に移行して、最接近回転角での検出出力の変化が増加から減少に反転したか否かを判定する。この検出出力の反転の有無によってディスク／センサ間の距離Ｓを検出することができるからである。
【０１３２】
このステップＳ２３３において、検出出力の変化が増加から減少に反転した（又は、増加しなくなった）と判定されたときには、ディスク／センサ間の距離Ｓが目標とした距離に設定されているため、ステップＳ２３４に移行する。このステップＳ２３４では、目標とした距離状態を確定し、その位置に印刷ヘッド３１を維持する。これで処理を終了して、ステップＳ２４に戻る。
【０１３３】
一方、ステップＳ２３３において、最接近回転角での検出出力の変化が増加から減少に反転していない（又は、まだ増加している）と判定されたときには、ステップＳ２３５に移行する。このステップＳ２３５では、最接近回転角とその近傍での検出出力の大小関係が逆転したか否かを判定する。この判定は、検出出力の大小関係の逆転の有無を見ることにより、ディスク／センサ間の距離Ｓが目標とした距離に設定されたかどうかを知ることができるからである。このステップＳ２３５において、検出出力の大小関係が逆転したと判定されたときには、ステップＳ２３４に移行し、目標とした距離状態を確定して、その位置に印刷ヘッド３１を維持する。
【０１３４】
これに対して、ステップＳ２３５において、検出出力の大小関係が逆転していないと判定されたときには、ステップＳ２３６に移行する。このステップＳ２３６では、上下移動モータである調整モータ６６（又は１０１）の駆動により、印刷ヘッド３１を光ディスク２に接近させる方向へ移動して、ディスク／センサ間の距離Ｓを近づける。次に、ステップＳ２３１に戻り、ステップＳ２３１〜ステップＳ２３３、ステップＳ２３５及びステップＳ２３６の処理を繰り返す。
【０１３５】
そして、最接近回転角での検出出力の変化が増加から減少に反転したとき、又は、最接近回転角とその近傍での検出出力の大小関係が逆転したときに、ステップＳ２３４に移行し、目標とした距離状態を確定して、その位置に印刷ヘッド３１を維持する。これで処理を終了して、ステップＳ２４に戻る。そして、ステップＳ２４及びステップＳ２５の処理が実行されることにより、印刷面に所定の印刷をきれいに行うことができる。
【０１３６】
このように、「ディスク／センサ間の距離Ｓを離した状態で、その距離Ｓが最も近くなるディスク回転角を検出するステップ」と、「最も距離Ｓが近い回転角に対する距離測定を繰り返して、ディスク／センサ間距離Ｓを近づけて行くステップ」とを用いることにより、距離検出センサ１１１の検出出力が印刷対象物である光ディスク２毎に異なる場合においても、上述した距離Ｓの制御を行うことができる。このとき、距離検出センサ１１１の検出出力に対して、印刷面が光ディスク２の表面であるか、それに貼られたレーベルシートの表面であるか、或いは、それら表面の反射率等によって印刷対象物毎に異なる場合がある。そのため、距離検出センサ１１１の検出出力電圧（出力電流）が、どの回転角でどれくらいの出力レベルになるかは、印刷される光ディスク毎に異なるものとなる。
【０１３７】
しかしながら、この実施例によれば、上記２つのステップを用いることにより、印刷対象物毎に異なる距離検出センサ１１１の検出光に対する反射率の違いに係わらず、距離Ｓの制御を確実に行うことができる。更に、光ディスク２の回転角に対する変位量の変化と距離検出センサ１１１の出力変化とに基づいて、「最も距離が近い回転角に対する距離測定を繰り返し、ディスク／センサ間の距離Ｓを近づけていくステップ」と、「最も距離が近くなる回転角での変化が増加から減少に反転したか」及び／又は「回転角とその近傍での検出出力の大小関係が逆転したか」という条件判定を行うことにより、印刷ヘッド３１と光ディスク２の印刷面との間の距離Ｓが目標距離になったか否かを制御することができる。
【０１３８】
上述した距離検出センサ１１１の具体例を示す反射型フォトインタラプタでは、受光量で決まる受光電流に基づいて距離Ｓが検出される。このときの受光量は、
（受光量）＝（発光量）×（照射効率）×（印刷対象物の反射率）×（受光効率）
によって表される。
この場合、図２２Ａに示すように、距離検出センサ１１１の発光量が不十分であったり、印刷対象物１１２の反射率が低いときには、受光量が少なくなって受光電流が雑音レベルに埋もれることがある。その場合には、発光量を増やす等の対策をとる必要がある。図２２Ａは、距離検出センサ１１１の光量不足を説明する図である。
【０１３９】
例えば、印刷ヘッド３１から吐出されたインク滴の一部が、ミストＱｍとなって空気中を浮遊し、距離検出センサ１１１の検出部の表面にミストＱｍが付着すると、光の透過率が低下する。このときの距離検出センサ１１１の受光量は、
（受光量）＝（発光量）×（照射効率）×（汚れによる発光部の透過率）×（印刷対象物の反射率）×（受光効率）×（汚れによる受光部の透過率）
となる。
その結果、距離検出センサ１１１が検出する受光量が少なくなり、受光電流が雑音レベルに埋もれると、距離Ｓの測定が不可能になる。
【０１４０】
この不具合の対策としては、次のような２つの方法が考えられる。
第１の方法は、発光量を増やすことである。しかしながら、この場合には、距離検出センサ１１１の発光量を発光素子の定格出力以上に増加させることが困難であるため、この対策は採用できない場合もある。
第２の方法は、距離検出センサ１１１の検出部をクリーニングすることである。この場合には、発光部と受光部に付着した汚れを取り除くことで、「汚れによる発光部の透過率」と「汚れによる受光部の透過率」について、それぞれの透過率を増加させることができる。
【０１４１】
図２２Ｂは、距離検出センサ１１１の検出部をクリーニングするクリーニング機構の一実施例を示す説明図である。このクリーニング機構は、回転ブラシ３４を適用したものである。回転ブラシ３４は、図示しない回転駆動機構によって回転駆動される円筒体と、この円筒体の外周面に多数起毛された繊維性のブラシ片とからなっている。この回転ブラシ３４を回転させて多数のブラシ片を距離検出センサ１１１の検出部に接触させることにより、検出部に付着したミストＱｍ等をブラシ片で払拭してクリーニングを行うことができる。
【０１４２】
図２３に示すフローチャートは、クリーニング機構によるクリーニング作業の制御のアルゴリズムを説明するものである。まず、ステップＳ３１において、距離検出センサ１１１における所定の発光量での受光量を検出する。次に、ステップＳ３２に移行して、受光量が十分か否かを判定する。このステップＳ３２において、受光量が十分であると判定されたときには、距離Ｓの検出に際して問題が無いため、これで処理を終了する。
【０１４３】
一方、ステップＳ３２において、受光量が十分でないと判定されたときには、ステップＳ３３に移行する。このステップＳ３３では、距離検出センサ１１１の発光量を増やせるか否かを判定する。このステップＳ３３において、発光量を増やせると判定されたとき、例えば、発光量を増加させる機構が内蔵されている場合（例えば、発光素子を駆動する電流量を増加させる制御手段が設けられている場合）等においては、ステップＳ３４に移行する。このステップＳ３４では、発光量増加機構等を動作させる等して、発光量を増加させる。そして、ステップＳ３１に戻り、ステップＳ３１からステップＳ３４までの処理を繰り返す。
【０１４４】
これに対して、ステップＳ３３において、発光量を増やせないと判定されたとき（例えば、発光素子を駆動する電流量が制御の最大値に達したとき等）においては、ステップＳ３５に移行する。このステップＳ３５では、クリーニング機構を動作させてクリーニング処理（作業）を実行する。このクリーニング処理は、例えば、図２４に示すフローチャートのようにして行うことができる。
【０１４５】
図２４において、まず、ステップＳ３５１で、クリーニング手段であるクリーニング機構の第１の実施例を示す回転ブラシ３４を、クリーニング部である距離検出センサ１１１の検出部に移動させる。次に、ステップＳ３５２に移行して、回転ブラシ３４を回転させると共に、回転するブラシ片を検出部に接触させ、その検出部に付着している汚れを取る。次いで、ステップＳ３５３に移行して、クリーニング後の距離検出センサ１１１を、距離Ｓを検出するための所定位置に移動する。そして、ステップＳ３５４に移行して、所定の発光量における受光量を検出する。なお、ここでの所定の発光量とは、クリーニング前の発光素子の発光量であってもよく、また、クリーニングによる検出部の透過率の増加を見越してクリーニング前の発光素子の発光量から減少させた発光量に制御することもできる。
【０１４６】
次に、ステップＳ３５５に移行して、受光量が十分か否かを判定する。このステップＳ３５５において、受光量が十分であると判定されたときには、ステップＳ３５６に移行する。このステップＳ３５６では、クリーニング処理が成功して検出部がきれいになったためにクリーニングが完了したことを表示し、これで処理を終了する。
【０１４７】
これに対して、ステップＳ３５５において、発光量を増やせないと判定された上で受光量が十分でないと判定されたときには、ステップＳ３５７に移行する。このステップＳ３５７では、クリーニング処理が不成功であって検出部がきれいにならなかったためにクリーニング失敗エラーを表示し、これで処理を終了する。この場合、検出部の発光素子の発光量が最大値であっても受光量が不十分であるという状態であるので、本発明による自動的なクリーニング手段では、距離検出センサ１１１の機能を回復できない状態にあると考えられる。
【０１４８】
なお、クリーニング機構としては、この実施例で示した回転ブラシ方式に限定されるものではなく、付着したミストＱｍ等を除去する方法であれば、各種の方法を用いることができる。例えば、スポンジや不織布等の吸収体をクリーニング部位に擦り付ける方法、水や洗浄液等の液状溶媒でクリーニング部位を洗浄する方法等を用いることができる。
【０１４９】
図２５乃至図２７は、本発明の光ディスク装置において、使用される光ディスクが面ぶれ量の観点から印刷対象物として適当であるか否かを判定し、面ぶれ量が所定量以上である場合には、その光ディスクは印刷対象物として不適当であるとして排除するようにしたものである。この第２の実施例では、対物レンズと光ディスク２の情報記録部（面）との距離を常に一定に保つように制御するフォーカスサーボの機能を備えたサーボ機構を用いて、上記制御を実現している。
【０１５０】
即ち、サーボ機構のうち、フォーカスサーボによる対物レンズの駆動電力（駆動電圧若しくは駆動電流）をモニタし、その駆動電力の変化量として検出される光ディスク２の面ぶれ量によって印刷面の面ぶれ量を推測する。この推測面ぶれ量を基準面ぶれ量と比較し、推測面ぶれ量が基準面ぶれ量より大きいときに、その光ディスクは印刷対象物として不適当であると判定する。そして、不適当なディスク状記録媒体であると判定されたときに、印刷ヘッドをディスク状記録媒体の印刷面に近づけることなく、そのディスク状記録媒体を排出して、印刷ヘッドがディスク状記録媒体の印刷面に接触するのを防止する。
【０１５１】
具体的には、光学ピックアップ２３の、例えば、二軸アクチュエータを制御することによって実行されるサーボ機構によるサーボのうち、対物レンズと光ディスク２の情報記録面との距離を常に一定に保つように機能するフォーカスサーボにおいて、対物レンズをフォーカス方向に移動させるフォーカスコイルに印加される駆動電力（駆動電圧若しくは駆動電流）の変化量を検出し、その変化量が所定範囲外である場合には、光ディスク２の面ぶれが所定量以上に大きいと判定する。そして、印刷装置１０の印刷ヘッド３１を光ディスク２の印刷面に近づけないようにすると共に、その光ディスク２を装置外に排出する。これにより、印刷ヘッド３１と光ディスク２の接触を防止し、その接触による印刷ヘッド３１又は光ディスク２の破損を防止する。
【０１５２】
図２５は、対物レンズを保持する二軸アクチュエータの動作を制御するサーボ機構（フォーカスサーボ及びトラッキングサーボ）を有する光学ピックアップ２３を備えた光ディスク装置の概略構成を示すブロック説明図である。中央制御部８１には、供給された光ディスク２の印刷面に対して印刷が可能か否かを判断する印刷可否判断回路１２０が設けられている。また、スピンドルモータ２１及び光学ピックアップ２３を駆動制御するドライブ制御部８３には、面振れ量判断回路１２１とディスク排出回路１２２が設けられている。更に、信号処理部８６には、光学ピックアップ２３の二軸アクチュエータを動作させて対物レンズを駆動制御する対物レンズ駆動回路１２３が設けられている。その他の構成は、前述した図１４の構成と同一であるため、同一部分には同一の符号を付して重複した説明を省略する。
【０１５３】
印刷可否判断回路１２０は、二軸アクチュエータの駆動コイル（特に、フォーカス駆動コイル）に印加される電力量（電圧量又は電流量）を検出し、その検出された電力量が予め設定された所定範囲（基準電力範囲）内の値か否かを判断するものである。そして、検出電力量が基準電力範囲内の値であるときには、ヘッド移動機構３２を動作させて印刷ヘッド３１を、印刷可能な所定の位置まで移動させて印刷面に近づける。これに対し、検出電力量が基準電力範囲内の値でないときには、ヘッド移動機構３２を動作させて印刷ヘッド３１を、印刷面に近づけることなく、光ディスク２を排出するための制御信号をドライブ制御部８３を介してトレイ駆動回路８４に出力する。
【０１５４】
また、印刷可否判断回路１２０は、二軸アクチュエータの駆動コイル（特に、フォーカス駆動コイル）に印加される電力量（電圧量又は電流量）を検出する他に、距離センサ駆動回路９０において検出する距離に対応する検出信号が、所定の範囲内の値であることを併用して、ヘッド移動機構３２を動作させた後であっても、光ディスク２の面ぶれ量が所定の基準面ぶれ量より大きい場合に光ディスク２を排出するようにすることができる。
【０１５５】
面振れ量判断回路１２１は、ディスク装着部２０に装着されて回転駆動される光ディスク２の面振れ量を検出すると共に、検出された面振れ量を予め設定された所定の基準面振れ量と比較してその大小を判定する回路である。また、ディスク排出回路１２２は、面振れ量判断回路１２１によって光ディスク２の検出面振れ量が基準面振れ量よりも大であると判定されたときに、その光ディスク２をディスク装着部２０から取り外して装置外に排出する回路である。ここで、光ディスク２の検出面振れ量は、二軸アクチュエータの駆動コイル（特に、フォーカス駆動コイル）に印加される電力量（電圧量又は電流量）を検出する方法、及び／又は、距離検出センサ５１，５２，１１１から距離センサ駆動回路９０に供給される距離に対応する信号を検出する方法によって検出することができる。
【０１５６】
一般に、サーボ機構のフォーカスサーボが動作しているときは、光ディスク２の情報記録部（面）と対物レンズとの距離は一定に保たれており、対物レンズはディスクの面振れに追従するように動いている。この対物レンズの動き量は、ディスクの面振れ量に応じて変化するため、二軸アクチュエータを駆動する対物レンズ駆動回路の駆動電圧若しくは駆動電流（駆動電力）をモニタすることにより、その電圧値や電流値の変化量を見ることによって光ディスク２の面振れ量を推定することができる。具体的には、二軸アクチュエータの駆動回路のうち、フォーカスコイルに印加される電力（電圧若しくは電流）をモニタし、電圧の変化量若しくは電流の変化量を検出する。
【０１５７】
一方、レーベル面印刷用の印刷ヘッド３１は、印刷の品位を向上させるためには、印刷面にインク吐出部３７をより近づける方が望ましい。ところが、光ディスク２は面振れを起こすため、光ディスク２との接触を防止する観点から、その面振れ量以下に印刷ヘッド３１を印刷面に近づけることができない。また、光ディスク２の面振れは、その製造方法によってバラツキがあるため、光ディスク２の規格によって面振れ量の許容量が定められているが、例えば、光ディスク２の保管状況等によって許容量を超えた光ディスク２が、レーベル印刷機構を有する光ディスク装置１に装着されることも考えられる。
【０１５８】
このような場合に、レーベル印刷機構を有する光ディスク装置１においては、どの程度の面振れ量を有する光ディスク２が装着されるか、事前に予測することができない。そのため、印刷ヘッド３１に光ディスク２が接触するのを防ぐ目的で、予め印刷ヘッド３１を十分に遠い場所に配置しておき、ディスク装着部２０に装着された光ディスク２の面振れ量が許容範囲内にあることが確認された後、印刷ヘッド３１を光ディスク２に近づけるようにする。そして、ディスク装着部２０にセットされた光ディスク２にフォーカスサーボをかけ、対物レンズを動作させるフォーカス駆動コイルの駆動電圧若しくは駆動電流をモニタし、その駆動電圧若しくは駆動電流の変化量が予め決めた所定範囲内に入っているか否かを判定する。
【０１５９】
即ち、対物レンズを動作させるフォーカス駆動コイルの駆動電圧若しくは駆動電流が所定の範囲内より大きい場合は、光ディスク２の推測面ぶれ量が所定の基準面ぶれ量より大きいと判定され、対物レンズを動作させるフォーカス駆動コイルの駆動電圧若しくは駆動電流が所定の範囲内より小さい場合は、光ディスク２の推測面ぶれ量が所定の基準面ぶれ量より小さいと判定される。
【０１６０】
その結果、検出された駆動電圧若しくは駆動電流の変化量が所定範囲内に入っているときには、印刷ヘッド３１を光ディスク２に近づける方向へ移動させ、印刷可能な所定位置に移動させる。そして、所定位置において、印刷面に対して印刷動作を実行する印刷準備を行う。これに対し、検出された駆動電圧若しくは駆動電流の変化量が所定範囲内に入っていないときには、ディスク装着部２０から光ディスク２を取り外した後、トレイ駆動回路８４を動作させて光ディスク２を排出する。そして、光ディスク２の印刷面に印刷を行うことができない旨のエラー表示を、表示装置を用いて表示する。
【０１６１】
図２６は、光ディスク２の情報記録面に対向される光学ピックアップ２３と、光ディスク２のレーベル面に対向される印刷装置１０の印刷ヘッド３１の位置関係を説明するブロック図である。そして、図２７に示すフローチャートは、この第２の実施例における制御部による制御のアルゴリズムを説明するものである。
【０１６２】
まず、ステップＳ４１において、光ディスク２をディスクドライブ装置９に挿入する。そして、ステップＳ４２に移行して、光ディスク２をディスク装着部２０に固定した後、例えば、線速度一定として光ディスク２を回転駆動する。次に、ステップＳ４３に移行して、光学ピックアップ２３のサーボ機構を働かせ、フォーカスサーボをかける。次いで、ステップＳ４４に移行して、対物レンズをフォーカスサーボさせている電力値（電圧値若しくは電流値）をモニタする。そして、ステップＳ４５に移行して、検出された電力値（電圧値若しくは電流値）が、予め決められた所定値を超える変動幅がないか否かを判定する。
【０１６３】
このステップＳ４５において、検出された電力値（電圧値若しくは電流値）が予め決められた所定値を超える変動幅を有する場合には、光ディスク２の面振れ量が許容量を超えて所定範囲内の値よりも大きいと判定して、ステップＳ４６に移行する。このステップＳ４６では、ディスク装着部２０から光ディスク２を排出する。例えば、中央制御部８１からドライブ制御部８３に制御信号を出力し、ディスク装着部２０を降下させて光ディスク２を取り外し、ディスクトレイ１２上に載置させる。次に、トレイ駆動回路８４に信号を出力して、ディスクトレイ１２をディスク装着位置からディスク取出位置に移動させる。そして、ステップＳ４７に移行して、供給された光ディスク２の印刷面に所定の印刷を行うことができなかった旨のエラー表示を表示装置で表示する。
【０１６４】
これに対して、ステップＳ４５において、検出された電力値（電圧値若しくは電流値）が予め決められた所定範囲内の値である場合には、光ディスク２の面振れ量が許容量を超えない所定範囲内の値であると判定して、ステップＳ４８に移行する。このステップＳ４８では、印刷ヘッド３１を所定の印刷位置まで移動させる。その結果、供給された光ディスク２の印刷面に所定の印刷を行うことが可能となる。この実施例では、印刷ヘッド３１を光ディスク２の印刷面に近づける前に、その光ディスク２の面振れ量が許容範囲内に納まるか否かを事前に知ることができる。この場合には、印刷ヘッド３１を光ディスク２に近づけないようにすることで、印刷ヘッド３１と光ディスク２の接触を防止し、その接触によって印刷ヘッド３１又は光ディスク２が傷付けられるのを防止することができる。
【０１６５】
また、変形した実施例としては、ステップＳ４８において印刷ヘッド３１を所定の印刷位置まで移動させる工程を、図１５で示したステップＳ１からステップＳ１１まで含むスタートからエンドまでの工程、及び／又は、図１９で示したステップＳ２１からステップＳ２５までを含むスタートからエンドまでの工程に置き換えても良い。このようにすることで、第１段階として対物レンズを動作させるフォーカス駆動コイルの駆動電圧若しくは駆動電流が所定の範囲内より小さいことを確認することで、光ディスク２の推測面ぶれ量が所定の基準面ぶれ量より小さいことを検出でき、印刷ヘッド３１と一体に配置された距離検出センサ５１，５２，１１１及び印刷ヘッド３１が、光ディスク２に接触をしないことを予め確認できる。そして、第２段階として図１５や図１９で示した距離検出センサ５１，５２，１１１を用いた測定によってディスク状記録媒体の印刷面と印刷ヘッドとの間の距離を最適な値又は所定の範囲内の値にするように制御を行う。
【０１６６】
この第１段階と第２段階の工程により、距離検出センサ５１，５２，１１１を備えていた場合においても、距離検出センサ５１，５２，１１１及び／又は印刷ヘッド３１と、光ディスク２とが接触することを防止し、その接触によって距離検出センサ５１，５２，１１１又は印刷ヘッド３１又は光ディスク２が傷付けられるのを防止することができる。
【実施例２】
【０１６７】
図２８及び図２９は、本発明のディスク記録及び／再生装置の第２の実施例を示すもので、図２８は筐体３の上面板５を取り除いた状態の外観斜視図、図２９は同じく平面図である。図２８，図２９に示すように、この第２の実施例に係る光ディスク装置１Ａは、ディスクドライブ装置９の中心部となっているディスク装着部（ターンテーブル）２０の回転中心Ｏｃを通る本体中心線Ｌａと、印刷装置１０の印刷ヘッド３１の略中心にあるインク吐出部３７を通る印刷ヘッド３１の移動軌跡をなすヘッド中心線Ｌｂとを平面から見て一致させ、本体中心線Ｌａ上において印刷するように構成したものである。
【０１６８】
この光ディスク装置１Ａが前記実施例で説明した光ディスク装置１と異なるところは、印刷装置１０の印刷ヘッド３１やヘッドキャップ７７等の配置に関連する事項であって、構成要素の点では異なるところがない。そのため、ここでは構成要素の異なる点について説明し、同一部分には同一符号を付して重複した説明を省略する。
【０１６９】
ディスク装着部の上方に配置されるチャッキングプレート２７を回転自在に支持するプレート支持板２８Ａは、ディスクトレイ１２の上方を横断するように配置されていて、ベース板４の左右の側面部４ａ，４ａに両端支持されている。また、印刷ヘッド３１が嵌合されているヘッドホルダ４１Ａは、ヘッドスライダ４２Ａに高さ調整可能に支持されており、このヘッドスライダ４２Ａの一面に４つの軸受部４２ａ，４２ｂが設けられている。４つの軸受部４２ａ，４２ｂは、印刷ヘッド３１を挟んで両側に２つずつ配置されており、一側に配置された２つの軸受部４２ａ，４２ａには第１のヘッドガイド軸４３Ａが摺動可能に挿通され、他側に配置された２つの軸受部４２ｂ，４２ｂには第２のヘッドガイド軸４３Ｂが摺動可能に挿通されている。
【０１７０】
２つのヘッドガイド軸４３Ａ，４３Ｂの軸方向の一端を支持する第２のガイド軸受４４Ｂは、前記実施例と同様に筐体３の奥に配置されているが、他端を支持する第１のガイド軸受４４Ａは、筐体の前側中途部まで延在されてベース板４の上方に配置されている。また、ヘッド移動機構の送りネジ軸４５Ａは、第１のヘッドガイド軸４３Ａの外側において平行に配置されているが、その軸方向の長さは、印刷ヘッド３１が移動するために必要な距離よりも少し長く形成されている。この送りネジ軸４５Ａは、筐体３にねじ止めされる支持ブラケット１３１に回転可能に両端支持されている。更に、送りネジ軸４５Ａは、ヘッド送りモータ４７の回転軸として構成されており、そのヘッド送りモータ４７が支持ブラケット１３１の一方の軸受片の外側に固定されている。
【０１７１】
この第２の実施例によれば、印刷ヘッド３１は、光ディスク２の印刷面に対して、回転中心Ｏｃを通る本体中心線Ｌａの軌跡上を移動して印刷作業を実行し、印刷面に所定の文字、写真、絵等をきれいに印刷することができる。
【０１７２】
また、図３０は、本発明のディスク記録及び／再生装置の第３の実施例を示すもので、スロットイン方式の光ディスク装置１Ｂの外観構成を示す説明図である。光ディスク装置１Ｂの筐体３の前面板６の略中央上部には、光ディスク２が出し入れされるディスク出入口１１が設けられている。このディスク出入口１１は、前面板６にヒンジ止めされた開閉蓋１３３によって開閉自在に構成されている。更に、ディスク出入口１１には、光ディスク２が挿入可能とされたスロット口１３４が設けられたスロットイン機構１３５が配置されている。スロット口１３４に光ディスク２を挿入すると、スロットイン機構１３５が、挿入の途中から光ディスク２を挟持してディスク装着部まで搬送する。また、前面板６に設置されているイジェクト釦を操作すると、スロットイン機構１３５が、ディスク装着部から離脱された光ディスク２を挟持してディスク取出部まで搬送する。
【０１７３】
以上説明したように、本発明によれば、印刷ヘッドと印刷対象物であるディスク状記録媒体の印刷面との間の距離を検出して所定範囲内の距離に維持し、その状態で印刷面に印刷を行うようにした。そのため、従来と比較して、印刷ヘッドとディスク状記録媒体の衝突を回避することができる。特に、インクジェット方式の印刷ヘッドを用いる場合には、印刷ヘッドと印刷面との距離を適切に制御することにより、インク滴のミストの発生を効果的に抑制することができる。また、印刷ヘッドの近傍で、ディスク状記録媒体の回転方向上流側に距離検出センサを配置することにより、距離検出センサにミストが付着するのを抑制し、発光量の低下を抑制することができる。更に、印刷面に対するインク滴の付着を確実なものとすることが可能となり、また、印刷ヘッドの送り位置も正確に制御することが可能になった。
【０１７４】
また、本発明によれば、印刷ヘッドと光ディスクの接触を防止することができるので、印刷ヘッドに損傷を与えて画質の劣化（例えば、インク吐出部の変形や詰まりによる吐出の障害など）や、光ディスクに損傷を与えての画質の劣化（例えば、レーベル面の傷または不要なインクの付着など）を抑制することができる。更に、距離検出センサと光ディスクの接触を防止することができるので、光ディスクに損傷を与えての画質の劣化は勿論のこと、距離検出センサに損傷を与えて距離が正確に測定できなくなることを抑制することができる。特に、距離が正確に測定できなくなった場合は、再び距離検出センサと光ディスクの接触、及び／又は、印刷ヘッドと光ディスクの接触を繰り返す虞があるので、距離検出センサに損傷を与えるような接触は予防する必要があり、その予防が可能となる。
【０１７５】
本発明は、前述しかつ図面に示した実施の形態に限定されるものではなく、その要旨を逸脱しない範囲内で種々の変形実施が可能である。例えば、前記実施の例では、ＤＶＤ−ＲＷを記録媒体として用いた例について説明したが、光磁気ディスクや磁気ディスク等を用いた他の記録方式の記録媒体を使用した印刷装置を有する光ディスク装置に適用できるものである。更に、本発明に係るディスク記録及び／又は再生装置としては、記録と再生の双方が可能な光ディスク記録再生装置に限定されるものではなく、この種の印刷装置を用いることができるディスク記録又はディスク再生装置、或いは撮像装置、パーソナルコンピュータ、電子辞書、カーナビゲーションその他各種の電子機器に適用できるものである。
【図面の簡単な説明】
【０１７６】
【図１】本発明のディスク記録及び／再生装置の第１の実施の形態に係るディスクトレイ方式の光ディスク装置であって、ディスクトレイを飛び出した状態の斜視図である。
【図２】本発明のディスク記録及び／再生装置の第１の実施の形態を示す光ディスク装置であって、筐体の上面板を取り除いた状態の斜視図である。
【図３】本発明のディスク記録及び／再生装置の第１の実施の形態を示す光ディスク装置であって、筐体の上面板を取り除いた状態の平面図である。
【図４】図２に示す光ディスク装置から更に印刷装置を取り除いた状態の斜視図である。
【図５】本発明のディスク記録及び／再生装置の第１の実施の形態を示す光ディスク装置に係る印刷装置の第１の実施の形態を示す斜視図である。
【図６】本発明のディスク記録及び／再生装置の第１の実施の形態を示す光ディスク装置に係る印刷装置の印刷ヘッドとディスクドライブ装置の光学ピックアップと光ディスクの位置関係を説明する斜視図である。
【図７】本発明のディスク記録及び／再生装置の第１の実施の形態を示す光ディスク装置に係る印刷装置の印刷ヘッドとディスクドライブ装置の光学ピックアップと光ディスクの位置関係を説明する側面図である。
【図８】図７に示すＷ−Ｗ線部分を断面した印刷ヘッド組立体の説明図である。
【図９】本発明のディスク記録及び／再生装置の第１の実施の形態を示す光ディスク装置に係る印刷装置の印刷ヘッド組立体をインク吐出部側から見た斜視図である。
【図１０】本発明のディスク記録及び／再生装置の第１の実施の形態を示す光ディスク装置に係る印刷装置の印刷ヘッドと距離検出センサと印刷面との距離関係を示す説明図である。
【図１１】本発明のディスク記録及び／再生装置の第１の実施の形態を示す光ディスク装置に係る印刷装置の印刷ヘッド及び距離検出センサとディスク記録媒体の回転方向の関係を示すもので、図１１Ａは距離検出センサが回転方向の上流側に位置する場合、図１１Ｂは距離検出センサが回転方向の下流側に位置する場合のそれぞれ説明図である。
【図１２】本発明のディスク記録及び／再生装置の第１の実施の形態を示す光ディスク装置に係る印刷装置の印刷ヘッドの例を示すもので、図１２Ａはインク吐出部がヘッド筐体と一体に構成されている場合、図１２Ｂはインク吐出部がヘッド筐体と別体に構成されている場合のそれぞれ斜視図である。
【図１３】本発明のディスク記録及び／再生装置の第１の実施の形態を示す光ディスク装置に係る印刷装置の印刷ヘッドの距離調整部の第２の実施の例を示すもので、図１３Ａは一部を断面した側面図、図１３Ｂは図７に示すＷ−Ｗ線部分に対応した部分の断面図である。
【図１４】本発明のディスク記録及び／再生装置の第１の実施の形態に係る光ディスク装置の制御部の概略構成の第１の例を示すブロック説明図である。
【図１５】本発明のディスク記録及び／再生装置の第１の実施の形態に係る光ディスク装置の制御部における動作の流れの第１の実施例を示すフローチャートである。
【図１６】本発明のディスク記録及び／再生装置の第１の実施の形態を示す光ディスク装置に係る印刷装置の印刷ヘッド組立体の第２の実施例を示すもので、インク吐出部側から見た斜視図である。
【図１７】図１６に示した印刷ヘッド組立体の印刷ヘッドとディスクドライブ装置の光学ピックアップと光ディスクの位置関係を説明する側面図である。
【図１８】本発明のディスク記録及び／再生装置の第１の実施の形態を示す光ディスク装置に係る距離検出センサの特性を説明するもので、図１８Ａは検出距離と相対光電流との関係を示すグラフ、図１８Ｂはディスク回転角とディスク／センサ間距離との関係を示すグラフ、図１８Ｃはディスク回転角と距離検出出力との関係を示すグラフである。
【図１９】本発明のディスク記録及び／再生装置の第１の実施の形態に係る光ディスク装置の制御部における動作の流れの第２の実施例を示すフローチャートである。
【図２０】図１９に示したフローチャートのステップＳ２２の詳細を説明するフローチャートである。
【図２１】図１９に示したフローチャートのステップＳ２３の詳細を説明するフローチャートである。
【図２２】本発明のディスク記録及び／再生装置の第１の実施の形態に係る光ディスク装置の距離検出センサのためのクリーニング機構を説明するもので、図２２Ａは距離検出センサの動作を説明する説明図、図２２Ｂはクリーニング機構の第１の実施例を示す説明図である。
【図２３】本発明のディスク記録及び／再生装置の第１の実施の形態に係る光ディスク装置の制御部におけるクリーニング機構の動作の流れの実施例を示すフローチャートである。
【図２４】図２３に示したフローチャートのステップＳ３５の詳細を説明するフローチャートである。
【図２５】本発明のディスク記録及び／再生装置の第１の実施の形態に係る光ディスク装置の制御部の概略構成の第２の例を示すブロック説明図である。
【図２６】本発明のディスク記録及び／再生装置の第１の実施の形態に係る光ディスク装置の光学ピックアップ及び印刷装置と光ディスクとの位置関係を説明する説明図である。
【図２７】本発明のディスク記録及び／再生装置の第１の実施の形態に係る光ディスク装置の制御部における動作の流れの第２の実施例を示すフローチャートである。
【図２８】本発明のディスク記録及び／再生装置の第２の実施の形態を示す光ディスク装置であって、筐体の上面板を取り除いた状態の斜視図である。
【図２９】本発明のディスク記録及び／再生装置の第２の実施の形態を示す光ディスク装置であって、筐体の上面板を取り除いた状態の平面図である。
【図３０】本発明のディスク記録及び／再生装置の第３の実施の形態に係るスロットイン方式の光ディスク装置を示す斜視図である。
【図３１】本発明のディスク記録及び／再生装置に用いられるディスク状記録媒体の方向を説明する説明図である。
【符号の説明】
【０１７７】
１…光ディスク装置（ディスク記録及び／再生装置）、  ２…光ディスク（ディスク状記録媒体）、  ３…筐体、  ４…ベース板、  ５…上面板、  ６…前面板、  ７…背面板、  ９…ディスクドライブ装置、  １０…印刷装置、  １１…ディスク出入口、  １２…ディスクトレイ、  １３…ディスク収納部、  １７…シャーシプレート、  ２０…ディスク装着部、  ２１…スピンドルモータ、  ２３…光学ピックアップ（ピックアップ装置）、  ２６…スライド部材、  ２７…チャッキングプレート、  ３０…イジェクト釦、  ３１，３１Ａ，３１Ｂ…印刷ヘッド、  ３２…ヘッド移動機構、  ３４…回転ブラシ（クリーニング機構）、  ３７…インク吐出部、  ４１，４１Ａ…ヘッドホルダ、  ４２，４２Ａ…ヘッドスライダ、  ４３Ａ，４３Ｂ…ヘッドガイド軸、  ４４Ａ、４４Ｂ…ガイド軸受、  ４５，４５Ａ…送りネジ軸、  ４６…送りナット、  ４７…ヘッド送りモータ、  ５０，１１０…印刷ヘッド組立体、  ５１，５２，１１１…距離検出センサ（距離検出部）、  ５３…レーベルシート、  ５４Ａ，５４Ｂ…連結部材、  ５９ａ、５９ｂ…ガイドピン、  ６０，１００…距離調整部、  ６１Ａ，６１Ｂ…支持板、  ６４ａ，６４ｂ…ガイド孔、  ６６，１０１…調整モータ、  ６７…ネジ軸、  ７７…ヘッドキャップ、  ７８…インク溜り、  ８１…中央制御部、  ８３…ドライブ制御部、  ８４…トレイ駆動回路、  ８６…信号処理部、  １０２…円板カム、  １０３…カム溝、  １２０…印刷可否判断回路、  １２１…面振れ量判断回路、  １２２…ディスク排出回路、  １２３…対物レンズ駆動回路、  Ｑ…インク滴、  Ｑｍ…ミスト
【図１】
2009158076.tif 000003
【図２】
2009158076.tif 000004
【図３】
2009158076.tif 000005
【図４】
2009158076.tif 000006
【図５】
2009158076.tif 000007
【図６】
2009158076.tif 000008
【図７】
2009158076.tif 000009
【図８】
2009158076.tif 000010
【図９】
2009158076.tif 000011
【図１０】
2009158076.tif 000012
【図１１】
2009158076.tif 000013
【図１２】
2009158076.tif 000014
【図１３】
2009158076.tif 000015
【図１４】
2009158076.tif 000016
【図１５】
2009158076.tif 000017
【図１６】
2009158076.tif 000018
【図１７】
2009158076.tif 000019
【図１８】
2009158076.tif 000020
【図１９】
2009158076.tif 000021
【図２０】
2009158076.tif 000022
【図２１】
2009158076.tif 000023
【図２２】
2009158076.tif 000024
【図２３】
2009158076.tif 000025
【図２４】
2009158076.tif 000026
【図２５】
2009158076.tif 000027
【図２６】
2009158076.tif 000028
【図２７】
2009158076.tif 000029
【図２８】
2009158076.tif 000030
【図２９】
2009158076.tif 000031
【図３０】
2009158076.tif 000032
【図３１】
2009158076.tif 000033